(57)【要約】【課題】基地局装置と端末装置が、効率的に通信することができる。【解決手段】端末装置であって、第１のＣＲＣパリティビットが付加されたＤＣＩをモニタするよう設定された場合において、少なくともＣ−ＲＮＴＩによって与えられるユーザー装置スペシフィックサーチスペースで前記第１のＣＲＣパリティビットが付加された前記ＤＣＩをモニタし、且つ、コモンサーチスペースで前記第２のＣＲＣパリティビットが付加された前記ＤＣＩをモニタし、前記第１のＣＲＣパリティビットが付加されたＤＣＩをモニタするよう設定されていない場合において、前記ユーザー装置スペシフィックサーチスペースで前記第２のＣＲＣパリティビットが付加された前記ＤＣＩをモニタし、且つ、前記コモンサーチスペースで前記第２のＣＲＣパリティビットが付加された前記ＤＣＩをモニタする。【選択図】図４
2018137492.tif 000002
【特許請求の範囲】
【請求項１】
端末装置であって、
第１のＣＲＣパリティビットが付加されたＤＣＩのモニタに関する情報を基地局装置から受信し、
前記第１のＣＲＣパリティビット、または、第２のＣＲＣパリティビットが付加されたＤＣＩをモニタする受信部を備え、
前記第１のＣＲＣパリティビットが付加されたＤＣＩをモニタするよう前記端末装置が設定された場合において、少なくともＣ−ＲＮＴＩによって与えられるユーザー装置スペシフィックサーチスペースで前記第１のＣＲＣパリティビットが付加された前記ＤＣＩをモニタし、且つ、コモンサーチスペースで前記第２のＣＲＣパリティビットが付加された前記ＤＣＩをモニタし、
前記第１のＣＲＣパリティビットが付加されたＤＣＩをモニタするよう前記端末装置が設定されていない場合において、前記少なくともＣ−ＲＮＴＩによって与えられるユーザー装置スペシフィックサーチスペースで前記第２のＣＲＣパリティビットが付加された前記ＤＣＩをモニタし、且つ、前記コモンサーチスペースで前記第２のＣＲＣパリティビットが付加された前記ＤＣＩをモニタし、
前記第１のＣＲＣパリティビットの数は２４であり、前記第２のＣＲＣパリティビットの数は１６である
端末装置。
【請求項２】
前記受信部は、
前記第１のＣＲＣパリティビットが付加されたＤＣＩをモニタするよう前記端末装置が設定されているかどうかに関わらず、少なくともＴｅｍｐｏｒａｒｙ Ｃ−ＲＮＴＩによって与えられるユーザー装置スペシフィックサーチスペースで前記第２のＣＲＣパリティビットが付加された前記ＤＣＩをモニタする
請求項１に記載の端末装置。
【請求項３】
前記受信部は、
前記第１のＣＲＣパリティビットが付加されたＤＣＩをモニタするよう前記端末装置が設定されているかどうかに関わらず、前記コモンサーチスペースで、ＲＡ−ＲＮＴＩによってスクランブルされた前記第２のＣＲＣパリティビットが付加された前記ＤＣＩをモニタする
請求項１または請求項２に記載の端末装置。
【請求項４】
前記第１のＣＲＣパリティビットは、前記Ｃ−ＲＮＴＩによってスクランブルされる
請求項１から請求項３のいずれかに記載の端末装置。
【請求項５】
前記第２のＣＲＣパリティビットは、前記Ｃ−ＲＮＴＩまたは前記Ｔｅｍｐｏｒａｒｙ Ｃ−ＲＮＴＩによってスクランブルされる
請求項２から請求項４のいずれかに記載の端末装置。
【請求項６】
基地局装置であって、
第１のＣＲＣパリティビットが付加されたＤＣＩのモニタに関する情報を端末装置へ送信し、
前記第１のＣＲＣパリティビット、または、第２のＣＲＣパリティビットが付加されたＤＣＩを前記端末装置へ送信する送信部を備え、
前記第１のＣＲＣパリティビットが付加されたＤＣＩをモニタするよう前記端末装置へ設定した場合において、少なくともＣ−ＲＮＴＩによって与えられるユーザー装置スペシフィックサーチスペースで前記第１のＣＲＣパリティビットが付加された前記ＤＣＩを送信し、且つ、コモンサーチスペースで前記第２のＣＲＣパリティビットが付加された前記ＤＣＩを送信し、
前記第１のＣＲＣパリティビットが付加されたＤＣＩをモニタするよう前記端末装置へ設定していない場合において、前記少なくともＣ−ＲＮＴＩによって与えられるユーザー装置スペシフィックサーチスペースで前記第２のＣＲＣパリティビットが付加された前記ＤＣＩを送信し、且つ、前記コモンサーチスペースで前記第２のＣＲＣパリティビットが付加された前記ＤＣＩを送信し、
前記第１のＣＲＣパリティビットの数は２４であり、前記第２のＣＲＣパリティビットの数は１６である
基地局装置。
【請求項７】
前記送信部は、
前記第１のＣＲＣパリティビットが付加されたＤＣＩをモニタするよう前記端末装置へ設定したかどうかに関わらず、少なくともＴｅｍｐｏｒａｒｙ Ｃ−ＲＮＴＩによって与えられるユーザー装置スペシフィックサーチスペースで前記第２のＣＲＣパリティビットが付加された前記ＤＣＩを送信する
請求項６に記載の基地局装置。
【請求項８】
前記送信部は、
前記第１のＣＲＣパリティビットが付加されたＤＣＩをモニタするよう前記端末装置へ設定したかどうかに関わらず、前記コモンサーチスペースで、ＲＡ−ＲＮＴＩによってスクランブルされた前記第２のＣＲＣパリティビットが付加された前記ＤＣＩを送信する
請求項６または請求項７に記載の基地局装置。
【請求項９】
前記第１のＣＲＣパリティビットは、前記Ｃ−ＲＮＴＩによってスクランブルされる
請求項６から請求項８のいずれかに記載の基地局装置。
【請求項１０】
前記第２のＣＲＣパリティビットは、前記Ｃ−ＲＮＴＩまたは前記Ｔｅｍｐｏｒａｒｙ Ｃ−ＲＮＴＩによってスクランブルされる
請求項７から請求項９のいずれかに記載の基地局装置。
【請求項１１】
端末装置の通信方法であって、
第１のＣＲＣパリティビットが付加されたＤＣＩのモニタに関する情報を基地局装置から受信し、
前記第１のＣＲＣパリティビット、または、第２のＣＲＣパリティビットが付加されたＤＣＩをモニタし、
前記第１のＣＲＣパリティビットが付加されたＤＣＩをモニタするよう端末装置が設定された場合において、少なくともＣ−ＲＮＴＩによって与えられるユーザー装置スペシフィックサーチスペースで前記第１のＣＲＣパリティビットが付加された前記ＤＣＩをモニタし、且つ、コモンサーチスペースで前記第２のＣＲＣパリティビットが付加された前記ＤＣＩをモニタし、
前記第１のＣＲＣパリティビットが付加されたＤＣＩをモニタするよう前記端末装置が設定されていない場合において、前記少なくともＣ−ＲＮＴＩによって与えられるユーザー装置スペシフィックサーチスペースで前記第２のＣＲＣパリティビットが付加された前記ＤＣＩをモニタし、且つ、前記コモンサーチスペースで前記第２のＣＲＣパリティビットが付加された前記ＤＣＩをモニタし、
前記第１のＣＲＣパリティビットの数は２４であり、前記第２のＣＲＣパリティビットの数は１６である
通信方法。
【請求項１２】
基地局装置の通信方法であって、
第１のＣＲＣパリティビットが付加されたＤＣＩのモニタに関する情報を端末装置へ送信し、
前記第１のＣＲＣパリティビット、または、第２のＣＲＣパリティビットが付加されたＤＣＩを前記端末装置へ送信し、
前記第１のＣＲＣパリティビットが付加されたＤＣＩをモニタするよう前記端末装置へ設定した場合において、少なくともＣ−ＲＮＴＩによって与えられるユーザー装置スペシフィックサーチスペースで前記第１のＣＲＣパリティビットが付加された前記ＤＣＩを送信し、且つ、コモンサーチスペースで前記第２のＣＲＣパリティビットが付加された前記ＤＣＩを送信し、
前記第１のＣＲＣパリティビットが付加されたＤＣＩをモニタするよう前記端末装置へ設定していない場合において、前記少なくともＣ−ＲＮＴＩによって与えられるユーザー装置スペシフィックサーチスペースで前記第２のＣＲＣパリティビットが付加された前記ＤＣＩを送信し、且つ、前記コモンサーチスペースで前記第２のＣＲＣパリティビットが付加された前記ＤＣＩを送信し、
前記第１のＣＲＣパリティビットの数は２４であり、前記第２のＣＲＣパリティビットの数は１６である
通信方法。
【請求項１３】
端末装置に搭載される集積回路であって、
第１のＣＲＣパリティビットが付加されたＤＣＩのモニタに関する情報を基地局装置から受信し、
前記第１のＣＲＣパリティビット、または、第２のＣＲＣパリティビットが付加されたＤＣＩをモニタする機能を、前記端末装置へ発揮させ、
前記第１のＣＲＣパリティビットが付加されたＤＣＩをモニタするよう端末装置が設定された場合において、少なくともＣ−ＲＮＴＩによって与えられるユーザー装置スペシフィックサーチスペースで前記第１のＣＲＣパリティビットが付加された前記ＤＣＩをモニタし、且つ、コモンサーチスペースで前記第２のＣＲＣパリティビットが付加された前記ＤＣＩをモニタし、
前記第１のＣＲＣパリティビットが付加されたＤＣＩをモニタするよう前記端末装置が設定されていない場合において、前記少なくともＣ−ＲＮＴＩによって与えられるユーザー装置スペシフィックサーチスペースで前記第２のＣＲＣパリティビットが付加された前記ＤＣＩをモニタし、且つ、前記コモンサーチスペースで前記第２のＣＲＣパリティビットが付加された前記ＤＣＩをモニタし、
前記第１のＣＲＣパリティビットの数は２４であり、前記第２のＣＲＣパリティビットの数は１６である
集積回路。
【請求項１４】
基地局装置に搭載される集積回路であって、
第１のＣＲＣパリティビットが付加されたＤＣＩのモニタに関する情報を端末装置へ送信し、
前記第１のＣＲＣパリティビット、または、第２のＣＲＣパリティビットが付加されたＤＣＩを前記端末装置へ送信する機能を、前記基地局装置へ発揮させ、
前記第１のＣＲＣパリティビットが付加されたＤＣＩをモニタするよう前記端末装置へ設定した場合において、少なくともＣ−ＲＮＴＩによって与えられるユーザー装置スペシフィックサーチスペースで前記第１のＣＲＣパリティビットが付加された前記ＤＣＩを送信し、且つ、コモンサーチスペースで前記第２のＣＲＣパリティビットが付加された前記ＤＣＩを送信し、
前記第１のＣＲＣパリティビットが付加されたＤＣＩをモニタするよう前記端末装置へ設定していない場合において、前記少なくともＣ−ＲＮＴＩによって与えられるユーザー装置スペシフィックサーチスペースで前記第２のＣＲＣパリティビットが付加された前記ＤＣＩを送信し、且つ、前記コモンサーチスペースで前記第２のＣＲＣパリティビットが付加された前記ＤＣＩを送信し、
前記第１のＣＲＣパリティビットの数は２４であり、前記第２のＣＲＣパリティビットの数は１６である
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project: 3GPP）において検討されている（非特許文献１、非特許文献２、非特許文献３、非特許文献４、および、非特許文献５）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。
【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。
【０００４】
３ＧＰＰにおいて、端末装置が５つまでのサービングセル（コンポーネントキャリア）において、同時に送信、および／または、受信を行うことができるキャリアアグリゲーションが仕様化されている。
【０００５】
また、３ＧＰＰにおいて、端末装置が５つを超えたサービングセル（コンポーネントキャリア）において、同時に送信、および／または、受信を行うことが検討されている。さらに、端末装置が、プライマリーセル以外のサービングセルであるセカンダリーセルにおいて、物理上りリンク制御チャネルでの送信を行うことが検討されている（非特許文献６）。
【先行技術文献】
【非特許文献】
【０００６】
【非特許文献１】"3GPP TS 36.211 V12.4.0 (2014-12) Evolved Universal Terrestrial Radio Access (E-UTRA); Physical channels and modulation (Release 12)", 6th-January 2015.
【非特許文献２】"3GPP TS 36.212 V12.3.0 (2014-12) Evolved Universal Terrestrial Radio Access (E-UTRA); Multiplexing and channel coding (Release 12)", 6th-January 2015.
【非特許文献３】"3GPP TS 36.213 V12.4.0 (2014-12) Evolved Universal Terrestrial Radio Access (E-UTRA); Physical layer procedures (Release 12)", 7th-January 2015.
【非特許文献４】"3GPP TS 36.321 V12.4.0 (2014-12) Evolved Universal Terrestrial Radio Access (E-UTRA); Medium Access Control (MAC) protocol specification (Release 12)", 5th-January 2015.
【非特許文献５】"3GPP TS 36.331 V12.4.1 (2014-12) Evolved Universal Terrestrial Radio Access (E-UTRA); Radio Resource Control (RRC); Protocol specification (Release 12)", 7th-January 2015.
【非特許文献６】"New WI proposal: LTE Carrier Aggregation Enhancement Beyond 5 Carriers", RP-142286, Nokia Corporation, NTT DoCoMo Inc., Nokia Networks, 3GPP TSG RAN Meeting #66, Hawaii, United States of America, 8th - 11th December 2014.
【発明の概要】
【発明が解決しようとする課題】
【０００７】
本発明の目的は、上記のような無線通信システムにおいて、基地局装置と端末装置が、効率的に通信することができる端末装置、基地局装置、通信方法、および、集積回路を提供することを目的とする。
【課題を解決するための手段】
【０００８】
（１）上記の目的を達成するために、本発明の態様は、以下のような手段を講じた。すなわち、本発明の一様態における端末装置は、第１のＣＲＣパリティビットが付加されたＤＣＩのモニタに関する情報を基地局装置から受信し、前記第１のＣＲＣパリティビット、または、第２のＣＲＣパリティビットが付加されたＤＣＩをモニタする受信部を備え、前記第１のＣＲＣパリティビットが付加されたＤＣＩをモニタするよう前記端末装置が設定された場合において、少なくともＣ−ＲＮＴＩによって与えられるユーザー装置スペシフィックサーチスペースで前記第１のＣＲＣパリティビットが付加された前記ＤＣＩをモニタし、且つ、コモンサーチスペースで前記第２のＣＲＣパリティビットが付加された前記ＤＣＩをモニタし、前記第１のＣＲＣパリティビットが付加されたＤＣＩをモニタするよう前記端末装置が設定されていない場合において、前記少なくともＣ−ＲＮＴＩによって与えられるユーザー装置スペシフィックサーチスペースで前記第２のＣＲＣパリティビットが付加された前記ＤＣＩをモニタし、且つ、前記コモンサーチスペースで前記第２のＣＲＣパリティビットが付加された前記ＤＣＩをモニタし、前記第１のＣＲＣパリティビットの数は２４であり、前記第２のＣＲＣパリティビットの数は１６である。
【０００９】
（２）また、本発明の一様態における基地局装置は、第１のＣＲＣパリティビットが付加されたＤＣＩのモニタに関する情報を端末装置へ送信し、前記第１のＣＲＣパリティビット、または、第２のＣＲＣパリティビットが付加されたＤＣＩを前記端末装置へ送信する送信部を備え、前記第１のＣＲＣパリティビットが付加されたＤＣＩをモニタするよう前記端末装置へ設定した場合において、少なくともＣ−ＲＮＴＩによって与えられるユーザー装置スペシフィックサーチスペースで前記第１のＣＲＣパリティビットが付加された前記ＤＣＩを送信し、且つ、コモンサーチスペースで前記第２のＣＲＣパリティビットが付加された前記ＤＣＩを送信し、前記第１のＣＲＣパリティビットが付加されたＤＣＩをモニタするよう前記端末装置へ設定していない場合において、前記少なくともＣ−ＲＮＴＩによって与えられるユーザー装置スペシフィックサーチスペースで前記第２のＣＲＣパリティビットが付加された前記ＤＣＩを送信し、且つ、前記コモンサーチスペースで前記第２のＣＲＣパリティビットが付加された前記ＤＣＩを送信し、前記第１のＣＲＣパリティビットの数は２４であり、前記第２のＣＲＣパリティビットの数は１６である。
【００１０】
（３）また、本発明の一様態における通信方法は、端末装置の通信方法であって、第１のＣＲＣパリティビットが付加されたＤＣＩのモニタに関する情報を基地局装置から受信し、前記第１のＣＲＣパリティビット、または、第２のＣＲＣパリティビットが付加されたＤＣＩをモニタし、前記第１のＣＲＣパリティビットが付加されたＤＣＩをモニタするよう端末装置が設定された場合において、少なくともＣ−ＲＮＴＩによって与えられるユーザー装置スペシフィックサーチスペースで前記第１のＣＲＣパリティビットが付加された前記ＤＣＩをモニタし、且つ、コモンサーチスペースで前記第２のＣＲＣパリティビットが付加された前記ＤＣＩをモニタし、前記第１のＣＲＣパリティビットが付加されたＤＣＩをモニタするよう前記端末装置が設定されていない場合において、前記少なくともＣ−ＲＮＴＩによって与えられるユーザー装置スペシフィックサーチスペースで前記第２のＣＲＣパリティビットが付加された前記ＤＣＩをモニタし、且つ、前記コモンサーチスペースで前記第２のＣＲＣパリティビットが付加された前記ＤＣＩをモニタし、前記第１のＣＲＣパリティビットの数は２４であり、前記第２のＣＲＣパリティビットの数は１６である。
【００１１】
（４）また、本発明の一様態における通信方法は、基地局装置の通信方法であって、第１のＣＲＣパリティビットが付加されたＤＣＩのモニタに関する情報を端末装置へ送信し、前記第１のＣＲＣパリティビット、または、第２のＣＲＣパリティビットが付加されたＤＣＩを前記端末装置へ送信し、前記第１のＣＲＣパリティビットが付加されたＤＣＩをモニタするよう前記端末装置へ設定した場合において、少なくともＣ−ＲＮＴＩによって与えられるユーザー装置スペシフィックサーチスペースで前記第１のＣＲＣパリティビットが付加された前記ＤＣＩを送信し、且つ、コモンサーチスペースで前記第２のＣＲＣパリティビットが付加された前記ＤＣＩを送信し、前記第１のＣＲＣパリティビットが付加されたＤＣＩをモニタするよう前記端末装置へ設定していない場合において、前記少なくともＣ−ＲＮＴＩによって与えられるユーザー装置スペシフィックサーチスペースで前記第２のＣＲＣパリティビットが付加された前記ＤＣＩを送信し、且つ、前記コモンサーチスペースで前記第２のＣＲＣパリティビットが付加された前記ＤＣＩを送信し、前記第１のＣＲＣパリティビットの数は２４であり、前記第２のＣＲＣパリティビットの数は１６である。
【００１２】
（５）また、本発明の一様態における集積回路は、端末装置に搭載される集積回路であって、第１のＣＲＣパリティビットが付加されたＤＣＩのモニタに関する情報を基地局装置から受信し、前記第１のＣＲＣパリティビット、または、第２のＣＲＣパリティビットが付加されたＤＣＩをモニタする機能を、前記端末装置へ発揮させ、前記第１のＣＲＣパリティビットが付加されたＤＣＩをモニタするよう端末装置が設定された場合において、少なくともＣ−ＲＮＴＩによって与えられるユーザー装置スペシフィックサーチスペースで前記第１のＣＲＣパリティビットが付加された前記ＤＣＩをモニタし、且つ、コモンサーチスペースで前記第２のＣＲＣパリティビットが付加された前記ＤＣＩをモニタし、前記第１のＣＲＣパリティビットが付加されたＤＣＩをモニタするよう前記端末装置が設定されていない場合において、前記少なくともＣ−ＲＮＴＩによって与えられるユーザー装置スペシフィックサーチスペースで前記第２のＣＲＣパリティビットが付加された前記ＤＣＩをモニタし、且つ、前記コモンサーチスペースで前記第２のＣＲＣパリティビットが付加された前記ＤＣＩをモニタし、前記第１のＣＲＣパリティビットの数は２４であり、前記第２のＣＲＣパリティビットの数は１６である。
【００１３】
（６）また、本発明の一様態における集積回路は、基地局装置に搭載される集積回路であって、第１のＣＲＣパリティビットが付加されたＤＣＩのモニタに関する情報を端末装置へ送信し、前記第１のＣＲＣパリティビット、または、第２のＣＲＣパリティビットが付加されたＤＣＩを前記端末装置へ送信する機能を、前記基地局装置へ発揮させ、前記第１のＣＲＣパリティビットが付加されたＤＣＩをモニタするよう前記端末装置へ設定した場合において、少なくともＣ−ＲＮＴＩによって与えられるユーザー装置スペシフィックサーチスペースで前記第１のＣＲＣパリティビットが付加された前記ＤＣＩを送信し、且つ、コモンサーチスペースで前記第２のＣＲＣパリティビットが付加された前記ＤＣＩを送信し、前記第１のＣＲＣパリティビットが付加されたＤＣＩをモニタするよう前記端末装置へ設定していない場合において、前記少なくともＣ−ＲＮＴＩによって与えられるユーザー装置スペシフィックサーチスペースで前記第２のＣＲＣパリティビットが付加された前記ＤＣＩを送信し、且つ、前記コモンサーチスペースで前記第２のＣＲＣパリティビットが付加された前記ＤＣＩを送信し、前記第１のＣＲＣパリティビットの数は２４であり、前記第２のＣＲＣパリティビットの数は１６である。
【発明の効果】
【００１４】
この発明によれば、基地局装置と端末装置が、効率的に通信することができる。
【図面の簡単な説明】
【００１５】
【図１】本実施形態における無線通信システムの概念を示す図である。
【図２】本実施形態におけるセルグループを説明する図である。
【図３】本実施形態におけるスロットの構成を示す図である。
【図４】本実施形態におけるＣＲＣパリティビットの付加を説明するための図である。
【図５】本実施形態におけるＲＮＴＩによるＣＲＣパリティビットのスクランブリングを説明するための図である。
【図６】本実施形態におけるＲＮＴＩによるＣＲＣパリティビットのスクランブリングを説明するための別の図である。
【図７】本実施形態におけるＲＮＴＩによるＣＲＣパリティビットのスクランブリングを説明するための別の図である。
【図８】本実施形態におけるＲＮＴＩによるＣＲＣパリティビットのスクランブリングを説明するための別の図である。
【図９】本実施形態におけるＣＲＣパリティビットが付加される下りリンク制御情報を説明するための別の図である。
【図１０】本実施形態における１６ビットＣＲＣに対するアンテナ選択マスクを説明するための図である。
【図１１】本実施形態における２４ビットＣＲＣに対するアンテナ選択マスクを説明するための図である。
【図１２】本実施形態における端末装置１の構成を示す概略ブロック図である。
【図１３】本実施形態における基地局装置３の構成を示す概略ブロック図である。
【発明を実施するための形態】
【００１６】
以下、本発明の実施形態について説明する。
【００１７】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１８】
本実施形態における物理チャネルおよび物理信号について説明する。
【００１９】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２０】
ＰＵＣＣＨは、上りリンク制御情報（Uplink Control Information: UCI）を送信するために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい。
【００２１】
すなわち、ＨＡＲＱ−ＡＣＫは、ＡＣＫ（acknowledgement）またはＮＡＣＫ（negative-acknowledgement）を示してもよい。ここで、ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００２２】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２３】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。
【００２４】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００２５】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられてもよい。
【００２６】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
【００２７】
本実施形態において、以下の２つのタイプの上りリンク参照信号が用いられる。
・ＤＭＲＳ（Demodulation Reference Signal）
・ＳＲＳ（Sounding Reference Signal）
【００２８】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００２９】
ＳＲＳは、ＰＵＳＣＨまたはＰＵＣＣＨの送信に関連しない。基地局装置３は、上りリンクのチャネル状態を測定するためにＳＲＳを使用する。
【００３０】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３１】
ＰＢＣＨは、端末装置１で共通に用いられるマスターインフォメーションブロック（Master Information Block: MIB, Broadcast Channel: BCH）を報知するために用いられる。
【００３２】
ＰＣＦＩＣＨは、ＰＤＣＣＨの送信に用いられる領域（ＯＦＤＭシンボル）を指示する情報を送信するために用いられる。
【００３３】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３４】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３５】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１Ａ、ＤＣＩフォーマット１Ｃ）が定義されてもよい。
【００３６】
ここで、下りリンクに対するＤＣＩフォーマットには、ＰＤＳＣＨのスケジューリングに関する情報が含まれる。例えば、下りリンクに対するＤＣＩフォーマットには、キャリアインディケータフィールド（CIF: Carrier Indicator Field）、リソースブロック割り当てに関する情報、ＭＣＳ（Modulation and Coding Scheme）に関する情報、などの下りリンク制御情報が含まれる。ここで、下りリンクに対するＤＣＩフォーマットを、下りリンクグラント（downlink grant）、または、下りリンクアサインメント（downlink assignment）とも称する。
【００３７】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット４）が定義される。
【００３８】
ここで、上りリンクに対するＤＣＩフォーマットには、ＰＵＳＣＨのスケジューリングに関する情報が含まれる。例えば、上りリンクに対するＤＣＩフォーマットには、キャリアインディケータフィールド（CIF: Carrier Indicator Field）、リソースブロック割り当ておよび／またはホッピング（Resource block assignment and/or hopping resource allocation）に関する情報、ＭＣＳおよび／またはリダンダシーバジョン（Modulation and coding scheme and/or redundancy version）に関する情報、送信レイヤの数を指示するために用いられる情報（Precoding information and number of layers）、などの下りリンク制御情報が含まれる。ここで、上りリンクに対するＤＣＩフォーマットを、上りリンクグラント（uplink grant）、または、上りリンクアサインメント（Uplink assignment）とも称する。
【００３９】
端末装置１は、下りリンクアサインメントを用いてＰＤＳＣＨのリソースがスケジュールされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００４０】
ここで、端末装置１は、ＰＤＣＣＨ候補（PDCCH candidates）および／またはＥＰＤＣＣＨ候補（EPDCCH candidates）のセットをモニタしてもよい。以下、ＰＤＣＣＨは、ＰＤＣＣＨおよび／またはＥＰＤＤＣＨを示してもよい。すなわち、本実施形態において、ＰＤＣＣＨおよびＥＰＤＣＣＨを総称して、単に、ＰＤＣＣＨとも称する。また、本実施形態において、ＰＤＣＣＨ候補およびＥＰＤＣＣＨ候補を総称して、単にＰＤＣＣＨ候補とも称する。
【００４１】
ここで、ＰＤＣＣＨ候補とは、基地局装置３によって、ＰＤＣＣＨが、配置および／または送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。また、端末装置１がモニタするＰＤＣＣＨ候補のセット、および／または、端末装置１がモニタするＥＰＤＣＣＨ候補のセットは、サーチスペースとも称される。
【００４２】
ここで、サーチスペースには、コモンサーチスペース（CSS: Common Search Space）が含まれてもよい。例えば、ＣＳＳは、複数の端末装置１に対して共通なスペースとして定義されてもよい。また、サーチスペースには、ユーザー装置スペシフィックサーチスペース（USS: UE-specific Search Space）が含まれてもよい。例えば、ＵＳＳは、少なくとも、端末装置１に対して割り当てられるＣ−ＲＮＴＩ（Cell-Radio Network Temporary Identifier）によって与えられてもよい（Ｃ−ＲＮＴＩに基づいて定義されてもよい）。また、例えば、ＵＳＳは、少なくとも、端末装置１に対して割り当てられるＴｅｍｐｏｒａｒｙ  Ｃ−ＲＮＴＩによって与えられてもよい（Ｔｅｍｐｏｒａｒｙ  Ｃ−ＲＮＴＩに基づいて定義されてもよい）。
【００４３】
すなわち、端末装置１は、ＣＳＳおよび／またはＵＳＳにおいて、ＰＤＣＣＨをモニタし、自装置宛てのＰＤＣＣＨを検出してもよい。また、端末装置１は、ＣＳＳおよび／またはＵＳＳにおいて、ＥＰＤＣＣＨをモニタし、自装置宛てのＥＰＤＣＣＨを検出してもよい。
【００４４】
ここで、下りリンク制御情報の送信（ＰＤＣＣＨでの送信）には、基地局装置３が、端末装置１に割り当てたＲＮＴＩが利用される。具体的には、ＤＣＩフォーマット（ＤＣＩ：下りリンク制御情報でもよい）にＣＲＣ（Cyclic Redundancy check: 巡回冗長検査）パリティビットが付加され、付加された後に、ＣＲＣパリティビットがＲＮＴＩによってスクランブルされる。ここで、ＤＣＩフォーマットに付加されるＣＲＣパリティビットは、対応するＤＣＩフォーマットのペイロードから得られてもよい。
【００４５】
すなわち、端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００４６】
ここで、ＲＮＴＩには、Ｃ−ＲＮＴＩ（Cell-Radio Network Temporary Identifier）が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用されてもよい。
【００４７】
また、ＲＮＴＩには、ＳＰＳ  Ｃ−ＲＮＴＩ（Semi-Persistent Scheduling C-RNTI）が含まれてもよい。ここで、ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。
【００４８】
また、ＲＮＴＩには、Ｔｅｍｐｏｒａｒｙ  Ｃ−ＲＮＴＩが含まれてもよい。ここで、Ｔｅｍｐｏｒａｒｙ  Ｃ−ＲＮＴＩは、コンテンションベースランダムアクセス手順の間に使用される、端末装置１によって送信されたプリアンブルに対するユニークな（一意的な）識別子である。また、Ｔｅｍｐｏｒａｒｙ  Ｃ−ＲＮＴＩは、動的（dynamically）にスケジュールされる送信のために利用されてもよい。
【００４９】
ＰＤＳＣＨは、下りリンクデータ（Downlink Shared Channel: DL-SCH）を送信するために用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００５０】
ＰＭＣＨは、マルチキャストデータ（Multicast Channel: MCH）を送信するために用いられる。
【００５１】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５２】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５３】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００５４】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５５】
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５６】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５７】
以下、キャリアアグリゲーションについて説明する。
【００５８】
本実施形態において、端末装置１に対して、１つまたは複数のサービングセルが設定されてもよい。端末装置１が複数のサービングセルを介して通信する技術をセルアグリゲーション、または、キャリアアグリゲーションと称する。
【００５９】
ここで、端末装置１に対して設定される１つまたは複数のサービングセルのそれぞれにおいて、本実施形態が適用されてもよい。また、端末装置１に対して設定される１つまたは複数のサービングセルの一部において、本実施形態が適用されてもよい。また、後述する、端末装置１に対して設定される１つまたは複数のサービングセルのグループ（例えば、ＰＵＣＣＨセルグループ、または、タイミングアドバンスグループ）のそれぞれにおいて、本実施形態が適用されてもよい。また、端末装置１に対して設定される１つまたは複数のサービングセルのグループの一部において、本実施形態が適用されてもよい。
【００６０】
また、本実施形態において、ＴＤＤ（Time Division Duplex）および／またはＦＤＤ（Frequency Division Duplex）が適用されてもよい。ここで、キャリアアグリゲーションの場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００６１】
ここで、設定される１つまたは複数のサービングセルには、１つのプライマリーセルと、１つまたは複数のセカンダリーセルとが含まれる。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００６２】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００６３】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００６４】
ここで、プライマリーセルは、ＰＵＣＣＨの送信に対して用いられる。また、プライマリーセルは、非活性化されない（primary cell cannot be deactivated）。また、クロスキャリアスケジューリングは、プライマリーに適用されない（Cross-carrier scheduling does not apply to primary cell）。すなわち、プライマリーセルは、常に、プライマリーセルにおけるＰＤＣＣＨを用いてスケジュールされる（primary cell is always scheduled via its PDCCH）。
【００６５】
また、あるセカンダリーセルにおいてＰＤＣＣＨ（ＰＤＣＣＨのモニタでもよい）が設定された場合には、クロスキャリアスケジューリングは、該あるセカンダリーセルには適用されなくてもよい（In a case that PDCCH (PDCCH monitoring) of a secondary cell is configured, cross-carries scheduling may not apply this secondary cell）。すなわち、この場合において、該セカンダリーセルは、常に、該セカンダリーセルにおけるＰＤＣＣＨを用いてスケジュールされてもよい。また、あるセカンダリーセルにおいてＰＤＣＣＨ（ＰＤＣＣＨのモニタでもよい）が設定されていない場合には、クロスキャリアスケジューリングが適用され、該セカンダリーセルは、常に、１つの他のサービングセル（one other serving cell）におけるＰＤＣＣＨを用いてスケジュールされてもよい。
【００６６】
ここで、本実施形態において、ＰＵＣＣＨの送信のために用いられるセカンダリーセルを、ＰＵＣＣＨセカンダリーセル、および、スペシャルセカンダリーセルと称する。また、ＰＵＣＣＨの送信のために用いられないセカンダリーセルを、非ＰＵＣＣＨセカンダリーセル、非スペシャルセカンダリーセル、非ＰＵＣＣＨサービングセル、および、非ＰＵＣＣＨセルと称する。また、プライマリーセルおよびＰＵＣＣＨセカンダリーセルを総称して、ＰＵＣＣＨサービングセル、および、ＰＵＣＣＨセルと称する。
【００６７】
ここで、ＰＵＣＣＨサービングセル（プライマリーセル、ＰＵＣＣＨセカンダリーセル）は、常に、下りリンクコンポーネントキャリア、および、上りリンクコンポーネントキャリアを持つ。また、ＰＵＣＣＨサービングセル（プライマリーセル、ＰＵＣＣＨセカンダリーセル）において、ＰＵＣＣＨのリソースが設定される。
【００６８】
また、非ＰＵＣＣＨサービングセル（非ＰＵＣＣＨセカンダリーセル）は、下りリンクコンポーネントキャリアのみを持ってもよい。また、非ＰＵＣＣＨサービングセル（非ＰＵＣＣＨセカンダリーセル）は、下りリンクコンポーネントキャリア、および、上りリンクコンポーネントキャリアを持ってもよい。
【００６９】
端末装置１は、ＰＵＣＣＨサービングセルにおいてＰＵＣＣＨでの送信を行ってもよい。すなわち、端末装置１は、プライマリーセルにおいてＰＵＣＣＨでの送信を行ってもよい。また、端末装置１は、ＰＵＣＣＨセカンダリーセルにおいてＰＵＣＣＨでの送信を行ってもよい。すなわち、端末装置１は、非スペシャルセカンダリーセルにおいてＰＵＣＣＨでの送信を行わない。
【００７０】
ここで、ＰＵＣＣＨセカンダリーセルを、プライマリーセル、および、セカンダリーセルでないサービングセルとして定義してもよい。
【００７１】
ここで、基地局装置３は、上位層の信号を用いて、１つまたは複数のサービングセルを設定してもよい。例えば、複数のサービングセルのセットをプライマリーセルと共に形成するために、１つまたは複数のセカンダリーセルが設定されてもよい。ここで、基地局装置３によって設定されるサービングセルに、ＰＵＣＣＨセカンダリーセルが含まれてもよい。
【００７２】
すなわち、ＰＵＣＣＨセカンダリーセルは、基地局装置３によって設定されてもよい。例えば、基地局装置３は、ＰＵＣＣＨセカンダリーセルを設定するために用いられる情報（インデックス）が含まれる上位層の信号を送信してもよい。
【００７３】
図２は、本実施形態におけるセルグループを説明するための図である。図２は、ＰＵＣＣＨセルグループの設定（構成、定義）の例として、３つの例（Example (a)、Example (b)、Example (c)）を示している。ここで、本実施形態において、１つまたは複数のサービングセルのグループをＰＵＣＣＨセルグループと称する。ＰＵＣＣＨセルグループは、ＰＵＣＣＨでの送信（ＰＵＣＣＨでの上りリンク制御情報の送信）に関連するグループであってもよい。ここで、あるサービングセルは、何れか１つのＰＵＣＣＨセルグループに属する。ここで、ＰＵＣＣＨセルグループは、図２に示す例とは異なるように設定されてもよいことは勿論である。
【００７４】
ここで、ＰＵＣＣＨセルグループは、基地局装置３によって設定されてもよい。例えば、基地局装置３は、ＰＵＣＣＨセルグループを設定するために用いられる情報（インデックス、セルグループインデックスでもよい）が含まれる上位層の信号を送信してもよい。
【００７５】
ここで、本実施形態は、上述のＰＵＣＣＨセルグループとは異なる、１つまたは複数のサービングセルのグループに対しても適用可能なことは勿論である。例えば、基地局装置３は、キャリアインディケータフィールド（CIF）を用いて指示されるサービングセルに対応させて、１つまたは複数のサービングセルのグループを設定してもよい。また、後述するように、例えば、基地局装置３は、１つまたは複数のサービングセルを含むタイミングアドバンスグループを設定してもよい。
【００７６】
すなわち、基地局装置３は、上りリンクの送信に関連させて、１つまたは複数のサービングセルのグループを設定してもよい。また、基地局装置３は、下りリンクの送信に関連させて、１つまたは複数のサービングセルのグループを設定してもよい。
【００７７】
以下、基地局装置３によって設定される１つまたは複数のサービングセルのグループを、セルグループとも称する。すなわち、ＰＵＣＣＨセルグループは、セルグループに含まれてもよい。また、タイミングアドバンスグループは、セルグループに含まれてもよい。ここで、基地局装置３および／または端末装置１は、本実施形態において記載される動作を、セルグループにそれぞれにおいて実行してもよい。すなわち、基地局装置３および／または端末装置１は、本実施形態において記載される動作を、１つのセルグループにおいて実行してもよい。
【００７８】
また、例えば、基地局装置３および／または端末装置１は、３２までの下りリンクコンポーネントキャリア（下りリンクのセル、up to 32 downlink component carriers）のキャリアアグリゲーションをサポートしてもよい。すなわち、基地局装置３および／または端末装置１は、３２までのサービングセルにおいて、同時に、複数の物理チャネルでの送信、および／または受信を行うことができる。すなわち、基地局装置３は、端末装置１に対して、３２までのサービングセルを設定してもよい。ここで、上りリンクのコンポーネントキャリアの数は、下りリンクのコンポーネントキャリアの数より少なくてもよい。
【００７９】
また、例えば、基地局装置３および／または端末装置１は、５までの下りリンクコンポーネントキャリア（up to 5 downlink component carriers）のキャリアアグリゲーションをサポートしてもよい。すなわち、基地局装置３および／または端末装置１は、５までのサービングセルにおいて、同時に、複数の物理チャネルでの送信、および／または受信を行うことができる。すなわち、基地局装置３は、端末装置１に対して、５までのサービングセルを設定してもよい。ここで、上りリンクのコンポーネントキャリアの数は、下りリンクのコンポーネントキャリアの数より少なくてもよい。
【００８０】
図２（ａ）は、セルグループ（ここでは、ＰＵＣＣＨセルグループ）として、第１のセルグループ、第２のセルグループが設定されていることを示している。例えば、図２（ａ）において、基地局装置３は、第１のセルグループにおいて下りリンク信号を送信してもよい。また、端末装置３は、第１のセルグループにおいて上りリンク信号を送信してもよい（第１のセルグループにおけるＰＵＣＣＨで上りリンク制御情報を送信してもよい）。
【００８１】
例えば、第１のセルグループにおいて２０のサービングセル（下りリンクコンポーネントキャリア、下りリンクセル）が設定または活性化された場合には、基地局装置３と端末装置１は、該２０の下りリンクコンポーネントキャリアに対する上りリンク制御情報を送受信してもよい。
【００８２】
すなわち、端末装置１は、２０の下りリンクコンポーネントキャリアに対応するＨＡＲＱ−ＡＣＫ（ＰＤＳＣＨでの送信に対するＨＡＲＱ−ＡＣＫ、トランスポートブロックに対するＨＡＲＱ−ＡＣＫ）を送信してもよい。また、端末装置１は、２０の下りリンクコンポーネントキャリアに対応するＣＳＩを送信してもよい。また、端末装置１は、セルグループ毎にＳＲを送信してもよい。同様に、基地局装置３と端末装置１は、第２のセルグループにおいて上りリンク制御情報を送受信してもよい。
【００８３】
同様に、基地局装置３と端末装置１は、図２（ｂ）に示すようにセルグループを設定し、上りリンク制御情報を送受信してもよい。また、基地局装置３と端末装置１は、図２（ｃ）に示すようにセルグループを設定し、上りリンク制御情報を送受信してもよい。
【００８４】
ここで、１つのセルグループ（例えば、ＰＵＣＣＨセルグループ）は、少なくとも、１つのサービングセル（例えば、ＰＵＣＣＨサービングセル）を含んでもよい。また、１つのセルグループ（例えば、ＰＵＣＣＨセルグループ）は、１つのサービングセルのみ（例えば、ＰＵＣＣＨサービングセルのみ）を含んでもよい。また、例えば、１つのＰＵＣＣＨセルグループは、１つのＰＵＣＣＨサービングセル、および、１つまたは複数の非ＰＵＣＣＨサービングセルを含んでもよい。
【００８５】
ここで、プライマリーセルを含むセルグループを、プライマリーセルグループと称する。また、プライマリーセルを含まないセルグループを、セカンダリーセルグループと称する。また、プライマリーセルを含むＰＵＣＣＨセルグループを、プライマリーＰＵＣＣＨセルグループと称する。また、プライマリーセルを含まないＰＵＣＣＨセルグループを、セカンダリーＰＵＣＣＨセルグループと称する。
【００８６】
すなわち、セカンダリーＰＵＣＣＨセルグループは、ＰＵＣＣＨセカンダリーセルを含んでもよい。例えば、プライマリーＰＵＣＣＨセルグループに対するインデックスは常に０として定義されてもよい。また、セカンダリーＰＵＣＣＨセルグループに対するインデックスは、基地局装置３（ネットワーク装置でもよい）によって設定されてもよい。
【００８７】
ここで、基地局装置３は、ＰＵＣＣＨセカンダリーセルを指示するために用いられる情報を、上位層の信号、および／または、ＰＤＣＣＨ（ＰＤＣＣＨで送信される下りリンク制御情報）に含めて送信してもよい。端末装置１は、ＰＵＣＣＨセカンダリーセルを指示するために用いられる情報に基づいて、ＰＵＣＣＨセカンダリーセルを決定してもよい。ここで、ＰＵＣＣＨセカンダリーセルのセルインデックスは、仕様書などによって、予め規定されてもよい。
【００８８】
上述したように、ＰＵＣＣＨサービングセルにおけるＰＵＣＣＨは、該ＰＵＣＣＨサービングセルが属するＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、ＣＳＩ（例えば、ピリオディックＣＳＩ）、および／または、ＳＲ）を送信するために用いられてもよい。
【００８９】
すなわち、ＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、ＣＳＩ（例えば、ピリオディックＣＳＩ）、および／または、ＳＲ）は、該ＰＵＣＣＨセルグループに含まれるＰＵＣＣＨサービングセルにおけるＰＵＣＣＨを用いて送信される。
【００９０】
ここで、本実施形態は、ＨＡＲＱ−ＡＣＫの送信のみに対して適用されてもよい。また、本実施形態は、ＣＳＩ（例えば、ピリオディックＣＳＩ）の送信のみに対して適用されてもよい。また、本実施形態は、ＳＲの送信のみに対して適用されてもよい。また、本実施形態は、ＨＡＲＱ−ＡＣＫの送信、ＣＳＩ（例えば、ピリオディックＣＳＩ）の送信、および／または、ＳＲの送信に対して適用されてもよい。
【００９１】
すなわち、ＨＡＲＱ−ＡＣＫの送信に対するセルグループ（ＰＵＣＣＨセルグループでもよい）が設定されてもよい。また、ＣＳＩ（例えば、ピリオディックＣＳＩ）の送信に対するセルグループ（ＰＵＣＣＨセルグループでもよい）が設定されてもよい。また、ＳＲの送信に対するセルグループ（ＰＵＣＣＨセルグループでもよい）が設定されてもよい。
【００９２】
例えば、ＨＡＲＱ−ＡＣＫの送信に対するセルグループ、ＣＳＩ（例えば、ピリオディックＣＳＩ）の送信に対するセルグループ、および／または、ＳＲの送信に対するセルグループが、個別に設定されてもよい。また、ＨＡＲＱ−ＡＣＫの送信に対するセルグループ、ＣＳＩ（例えば、ピリオディックＣＳＩ）の送信に対するセルグループ、および／または、ＳＲの送信に対するセルグループとして、共通のセルグループが設定されてもよい。
【００９３】
ここで、ＨＡＲＱ−ＡＣＫの送信に対するセルグループの数は１つ、または、２つであってもよい。ＣＳＩの送信に対するセルグループの数は１つ、または、２つでもよい。ＳＲの送信に対するセルグループの数は１つ、または、２つであってもよい。また、ＣＳＩ（例えば、ピリオディックＣＳＩ）の送信に対するセルグループ、および／または、ＳＲの送信に対するセルグループは、設定（定義）されなくてもよい。
【００９４】
以下、本実施形態におけるＭＴＡ（Multiple Timing Advance）について説明する。
【００９５】
例えば、基地局装置３は、ＭＴＡをサポートする端末装置１に対して、複数のタイミングアドバンスグループを設定してもよい。タイミングアドバンスグループは、１つまたは複数のサービングセルを含んでもよい。ここで、プライマリーセルを含むタイミングアドバンスグループを、プライマリータイミングアドバンスグループと称する。また、プライマリーセルを含まないタイミングアドバンスグループを、セカンダリータイミングアドバンスグループと称する。
【００９６】
すなわち、セカンダリータイミングアドバンスグループは、１つまたは複数のセカンダリーセルのみを含んでもよい。ここで、ＰＵＣＣＨセカンダリーセルは、プライマリータイミングアドバンスグループおよびセカンダリータイミングアドバンスグループの何れに含まれてもよい。
【００９７】
また、端末装置１は、プライマリータイミングアドバンスグループにおける上りリンク送信タイミングと、セカンダリータイミングアドバンスグループにおける上りリンク送信タイミングを、個別に制御されてもよい。例えば、端末装置１は、プライマリータイミングアドバンスグループにおけるＰＵＣＣＨ、ＰＵＳＣＨ、および／または、ＳＲＳのための上りリンク送信タイミングと、セカンダリータイミングアドバンスグループにおけるＰＵＣＣＨ、ＰＵＳＣＨ、および／または、ＳＲＳのための上りリンク送信タイミングを、個別に制御されてもよい。以下、上りリンク送信タイミングには、ＰＵＣＣＨ、ＰＵＳＣＨ、および／または、ＳＲＳのための上りリンク送信タイミングのことであってもよい。
【００９８】
ここで、プライマリータイミングアドバンスグループに属するセカンダリーセルにおける上りリンク送信タイミングは、プライマリーセルにおける上りリンク送信タイミングと同じであってもよい。すなわち、端末装置１は、プライマリーセルに対するタイミングアドバンスコマンドを基地局装置３から受信した場合、プライマリーセルに対するタイミングアドバンスコマンドを参照することによって、プライマリーセルおよび／またはプライマリータイミングアドバンスグループに属するセカンダリーセルにおける上りリンク送信タイミングを調整してもよい。
【００９９】
また、端末装置１は、セカンダリータイミングアドバンスグループに対するタイミングアドバンスコマンドを基地局装置３から受信した場合、セカンダリータイミングアドバンスグループに対するタイミングアドバンスコマンドを参照することによって、セカンダリータイミングアドバンスグループに属するセカンダリーセル（全てのセカンダリーセルでもよい）における上りリンク送信タイミングを調整してもよい。ここで、上りリンク送信タイミングは、セカンダリータイミングアドバンスグループに属する全てのセカンダリーセルに対して同じであってもよい。
【０１００】
以下、本実施形態におけるスロットの構成について説明する。
【０１０１】
図３は、本実施形態におけるスロットの構成を示す図である。図３において、横軸は時間軸を示しており、縦軸は周波数軸を示している。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。
【０１０２】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【０１０３】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【０１０４】
以下、ＤＣＩフォーマット（ＤＣＩ：下りリンク制御情報でもよい）に付加されるＣＲＣパリティビットについて詳述する。ここで、本実施形態において、「ＣＲＣパリティビット」、「ＣＲＣビット」、および、「ＣＲＣ」は同一であってもよい。
【０１０５】
例えば、対応するＤＣＩフォーマットに付加されるＣＲＣパリティビットの数は、２４、または、１６であってもよい。すなわち、基地局装置３、および、端末装置１は、１つまたは複数の条件に応じて、対応するＤＣＩフォーマットに付加されるＣＲＣパリティビットの数が、２４および１６の何れであるかを選択（決定、判断）してもよい。すなわち、基地局装置３は、第１のＣＲＣパリティビット（例えば、数が２４のＣＲＣパリティビット）、または、第２のＣＲＣパリティビット（例えば、数が１６のＣＲＣパリティビット）が付加されたＤＣＩフォーマットを送信してもよい。また、端末装置１は、第１のＣＲＣパリティビット、または、第２のＣＲＣパリティビットが付加されたＤＣＩフォーマットをモニタしてもよい。ここで、上述したように、ＤＣＩフォーマットはＰＤＣＣＨで送信されてもよい。
【０１０６】
例えば、基地局装置３は、端末装置１が２４ビットのＣＲＣパリティビットを含むＰＤＣＣＨをモニタするよう設定（指示、定義でもよい）するために用いられる上位層のパラメータ（例えば、ＲＲＣ層のパラメータ）を送信してもよい。また、基地局装置３は、２４ビットのＣＲＣパリティビットを含むＰＤＣＣＨをモニタするのか、１６ビットのＣＲＣパリティビットを含むＰＤＣＣＨをモニタするのか、を端末装置１に設定（指示、定義でもよい）するために用いられる上位層のパラメータを送信してもよい。ここで、本実施形態において、「上位層のパラメータ」、「上位層のメッセージ」、「上位層の信号」、「上位層の情報」、および、「上位層の情報要素」は、同一のものであってもよい。
【０１０７】
すなわち、基地局装置３は、第１のＣＲＣパリティビットが付加されたＤＣＩのモニタに関する情報（パラメータ）を端末装置１に送信してもよい。また、基地局装置３は、第２のＣＲＣパリティビットが付加されたＤＣＩのモニタに関する情報（パラメータ）を端末装置１に送信してもよい。以下、第１のＣＲＣパリティビットが付加されたＤＣＩのモニタに関する情報（パラメータ）、および／または、第２のＣＲＣパリティビットが付加されたＤＣＩのモニタに関する情報（パラメータ）を、単に、ＤＣＩのモニタに関するパラメータとも記載する。
【０１０８】
ここで、本実施形態において、「ＣＲＣパリティビットが付加されたＤＣＩフォーマットを伝送するＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および、「ＤＣＩフォーマットを含むＰＤＣＣＨ」は、同一でものあってもよい。また、本実施形態において、「Ｘを含むＰＤＣＣＨ」、および、「ＸをともなうＰＤＣＣＨ」は、同一のものであってもよい。すなわち、端末装置１は、ＤＣＩフォーマットをモニタしてもよい。また、端末装置１は、ＤＣＩをモニタしてもよい。また、端末装置１は、ＰＤＣＣＨをモニタしてもよい。
【０１０９】
例えば、ＤＣＩのモニタに関するパラメータは、サービングセル毎に設定されてもよい。また、ＤＣＩのモニタに関するパラメータは、セルグループ毎に設定されてもよい。また、ＤＣＩのモニタに関するパラメータは、セカンダリーセルのみに対して設定されてもよい。また、ＤＣＩのモニタに関するパラメータは、プライマリーセルを含まないサービングセルのグループのみに対して設定されてもよい。
【０１１０】
例えば、第１のサービングセルと第２のサービングセルが設定された端末装置１は、第１のサービングセルに対してＤＣＩのモニタに関するパラメータが設定された場合には、第１のサービングセルにおけるＰＤＣＣＨ（ＤＣＩ、ＤＣＩフォーマットでもよい）を、ＤＣＩのモニタに関するパラメータに基づいて、モニタしてもよい。ここで、第１のサービングセルにおけるＰＤＣＣＨ（ＤＣＩ、ＤＣＩフォーマットでもよい）は、第１のサービングセルおよび／または第２のサービングセルにおけるＰＤＳＣＨのスケジューリングに用いられてもよい。また、第１のサービングセルにおけるＰＤＣＣＨ（ＤＣＩ、ＤＣＩフォーマットでもよい）は、第１のサービングセルおよび／または第２のサービングセルにおけるＰＵＳＣＨのスケジューリングに用いられてもよい。
【０１１１】
ここで、基地局装置３は、いずれのサービングにおけるＰＤＣＣＨを用いて、ＰＤＳＣＨおよび／またはＰＵＳＣＨがスケジューリングされるのを指示するために用いられる上位層のパラメータ（例えば、ＲＲＣ層のパラメータ）を送信してもよい。すなわち、基地局装置３は、いずれのサービングセルにおいて下りリンクアサインメント（downlink allocationとも称される）がシグナルされるのか、を指示するための用いられる情報を送信してもよい。また、基地局装置３は、いずれのサービングセルにおいて、上りリンクグラント（uplink grant）がシグナルされるのか、を指示するための用いられる情報を送信してもよい。
【０１１２】
また、ＤＣＩのモニタに関するパラメータは、ＵＳＳのみに対して適用されてもよい。すなわち、ＤＣＩのモニタに関するパラメータは、ＣＳＳにおけるＤＣＩのモニタに対して適用されず、ＵＳＳにおけるＤＣＩのモニタに対してのみ適用されてもよい。また、ＤＣＩのモニタに関するパラメータは、ＰＤＣＣＨおよびＥＰＤＣＣＨの何れか一方のみに対して適用されてもよい。
【０１１３】
また、端末装置１は、所定の条件を満たす場合には、２４ビットのＣＲＣパリティビットを含むＰＤＣＣＨをモニタしてもよい。すなわち、端末装置１は、端末装置１が２４ビットのＣＲＣパリティビットを含むＰＤＣＣＨをモニタするよう指示する上位層のパラメータ（ＤＣＩのモニタに関するパラメータ、ＤＣＩのモニタに関するパラメータに基づく設定でもよい）と関係なく、所定の条件を満たす場合には、２４ビットのＣＲＣパリティビットを含むＰＤＣＣＨをモニタしてもよい。
【０１１４】
ここで、端末装置１は、所定の条件を満たす場合には、セカンダリーセルにおいて、２４ビットのＣＲＣパリティビットを含むＰＤＣＣＨをモニタしてもよい。また、端末装置１は、所定の条件を満たす場合には、プライマリーセルを含まないサービングセルグループに属するセカンダリーセルにおいて、２４ビットのＣＲＣパリティビットを含むＰＤＣＣＨをモニタしてもよい。また、端末装置１は、所定の条件を満たす場合に、ＵＳＳ（ＵＳＳのみでもよい）において、２４ビットのＣＲＣパリティビットを含むＰＤＣＣＨをモニタしてもよい。また、端末装置１は、所定の条件を満たす場合に、２４ビットのＣＲＣパリティビットを含むＥＰＤＣＣＨ（ＥＰＤＣＣＨのみ）をモニタしてもよい。
【０１１５】
例えば、端末装置１が所定の数より多い数のサービングセル（例えば、５よりも多い数のサービングセル）を上位層のパラメータ（例えば、ＲＲＣ層のパラメータ）を用いて設定された場合において、端末装置１は、２４ビットのＣＲＣパリティビットを含むＰＤＣＣＨをモニタしてもよい（モニタすると判断してもよい）。すなわち、端末装置１が所定の数以下の数のサービングセル（例えば、５以下のサービングセル）を上位層のパラメータ（例えば、ＲＲＣ層のパラメータ）を用いて設定された場合において、端末装置１は、ＤＣＩのモニタに関するパラメータに基づく設定に基づいて、２４ビットのＣＲＣパリティビットを含むＰＤＣＣＨ、または、１６ビットのＣＲＣパリティビットを含むＰＤＣＣＨをモニタしてもよい。
【０１１６】
また、あるサブフレームにおいて端末装置１によってモニタされるＰＤＣＣＨ候補の数、および／または、該あるサブフレームにおいて端末装置１によってモニタされるＤＣＩフォーマットのサイズ（ＤＣＩフォーマットのペイロードサイズ、ＤＣＩフォーマットのペイロードサイズの数）に基づいて、端末装置１は２４ビットのＣＲＣパリティビットを含むＰＤＣＣＨをモニタしてもよい（モニタすると判断してもよい）。
【０１１７】
例えば、あるサブフレームにおいて端末装置１によってモニタされるＰＤＣＣＨ候補の数、および、該あるサブフレームにおいて端末装置１によってモニタされるＤＣＩフォーマットのサイズの積が、所定の値よりも大きい場合には、端末装置１は２４ビットのＣＲＣパリティビットを含むＰＤＣＣＨをモニタしてもよい（モニタすると判断してもよい）。
【０１１８】
以下、「端末装置１が２４ビットのＣＲＣパリティビットを含むＰＤＣＣＨをモニタするよう指示する上位層のパラメータ（例えば、ＲＲＣ層のパラメータ）、および／または、上述したような所定の条件に基づいて端末装置１が２４ビットのＣＲＣパリティビットを含むＰＤＣＣＨをモニタすること」を、単に、「端末装置１が２４ビットのＣＲＣパリティビットを含むＰＤＣＣＨをモニタするよう設定されている」とも記載する。
【０１１９】
以下、「端末装置１が２４ビットのＣＲＣパリティビットを含むＰＤＣＣＨをモニタするよう指示する上位層のパラメータ（例えば、ＲＲＣ層のパラメータ）、および／または、上述したような所定の条件に基づいて端末装置１が２４ビットのＣＲＣパリティビットを含むＰＤＣＣＨをモニタしないこと」を、「端末装置１が２４ビットのＣＲＣパリティビットを含むＰＤＣＣＨをモニタするよう設定されていない」とも記載する。
【０１２０】
ここで、以下の条件（ａ）から条件（ｄ）の少なくとも１つを満たす場合には、対応するＤＣＩフォーマットに付加されるＣＲＣパリティビットの数は１６であってもよい。すなわち、以下の条件（ａ）から条件（ｄ）の少なくとも１つを満たす場合、基地局装置３は、１６ビットのＣＲＣパリティビットが付加されたＤＣＩを送信してもよい。また、以下の条件（ａ）から条件（ｄ）の少なくとも１つを満たす場合には、端末装置１は、１６ビットのＣＲＣパリティビットが付加されたＤＣＩをモニタしてもよい。すなわち、以下の条件（ａ）から条件（ｄ）の少なくとも１つを満たす場合には、端末装置１は、１６ビットのＣＲＣパリティビットを含むＰＤＣＣＨをモニタしてもよい。
【０１２１】
・条件（ａ）：端末装置１が２４ビットのＣＲＣパリティビットを含むＰＤＣＣＨをモニタするよう上位層のパラメータ（例えば、ＲＲＣ層のパラメータ）を用いて設定されていない
・条件（ｂ）：対応するＤＣＩフォーマットが、ＣＳＳにマップされる（ＣＳＳにおいて送信される）
・条件（ｃ）：対応するＤＣＩフォーマットが、少なくとも、Ｔｅｍｐｏｒａｒｙ  Ｃ−ＲＮＴＩによって与えられるＵＳＳにマップされる（少なくとも、Ｔｅｍｐｏｒａｒｙ  Ｃ−ＲＮＴＩによって与えられるＵＳＳにおいて送信される）
・条件（ｄ）：対応するＤＣＩフォーマットに付加されるＣＲＣパリティビットが、所定のＲＮＴＩによってスクランブルされる
【０１２２】
すなわち、例えば、端末装置１が２４ビットのＣＲＣパリティビットを含むＰＤＣＣＨをモニタするよう上位層のパラメータ（ＲＲＣ層のパラメータ、ＤＣＩのモニタに関するパラメータでもよい）を用いて設定されていない場合には、対応するＤＣＩフォーマットに付加されるＣＲＣパリティビットの数は１６であってもよい。
【０１２３】
また、例えば、対応するＤＣＩフォーマットがＣＳＳにマップされる場合には、該対応するＤＣＩフォーマットに付加されるＣＲＣパリティビットの数は１６であってもよい。すなわち、基地局装置３は、ＤＣＩフォーマットをＣＳＳにおいて送信する場合には、該ＤＣＩフォーマットに１６ビットのＣＲＣパリティビットを付加して送信してもよい。また、端末装置１は、ＤＣＩフォーマットをＣＳＳにおいて受信する場合には、１６ビットのＣＲＣパリティビットが付加されたＤＣＩフォーマットを受信してもよい。
【０１２４】
すなわち、対応するＤＣＩフォーマットがＵＳＳにマップされる場合には、該対応するＤＣＩフォーマットに付加されるＣＲＣパリティビットの数は、１６または２４であってもよい。
【０１２５】
すなわち、基地局装置３は、２４ビットのＣＲＣパリティビットを含むＰＤＣＣＨ（ＤＣＩフォーマットでもよい）をモニタするよう端末装置１に対して設定し、且つ、該ＤＣＩフォーマットをＵＳＳにおいて送信する場合には、該ＤＣＩフォーマットに２４ビットのＣＲＣパリティビットを付加して送信してもよい。また、端末装置１は、端末装置１が２４ビットのＣＲＣパリティビットを含むＰＤＣＣＨ（ＤＣＩフォーマットでもよい）をモニタするよう設定され、且つ、ＤＣＩフォーマットをＵＳＳにおいて受信する場合には、２４ビットのＣＲＣパリティビットが付加されたＤＣＩフォーマットを受信してもよい。
【０１２６】
また、基地局装置３は、２４ビットのＣＲＣパリティビットを含むＰＤＣＣＨ（ＤＣＩフォーマットでもよい）をモニタするよう端末装置１に対して設定しておらず、且つ、該ＤＣＩフォーマットをＵＳＳにおいて送信する場合には、該ＤＣＩフォーマットに１６ビットのＣＲＣパリティビットを付加して送信してもよい。また、端末装置１は、端末装置１が２４ビットのＣＲＣパリティビットを含むＰＤＣＣＨ（ＤＣＩフォーマットでもよい）をモニタするよう設定されておらず、且つ、ＤＣＩフォーマットをＵＳＳにおいて受信する場合には、２４ビットのＣＲＣパリティビットが付加されたＤＣＩフォーマットを受信してもよい。
【０１２７】
また、例えば、対応するＤＣＩフォーマットが、少なくとも、Ｔｅｍｐｏｒａｒｙ  Ｃ−ＲＮＴＩによって与えられるＵＳＳにマップされる場合には、該対応するＤＣＩフォーマットに付加されるＣＲＣパリティビットの数は１６であってもよい。すなわち、基地局装置３は、ＤＣＩフォーマットを、少なくとも、Ｔｅｍｐｏｒａｒｙ  Ｃ−ＲＮＴＩによって与えられるＵＳＳにおいて送信する場合には、該ＤＣＩフォーマットに１６ビットのＣＲＣパリティビットを付加して送信してもよい。また、端末装置１は、ＤＣＩフォーマットを、少なくとも、Ｔｅｍｐｏｒａｒｙ  Ｃ−ＲＮＴＩによって与えられるＵＳＳにおいて受信する場合には、１６ビットのＣＲＣパリティビットが付加されたＤＣＩフォーマットを受信してもよい。
【０１２８】
すなわち、対応するＤＣＩフォーマットが、少なくとも、Ｃ−ＲＮＴＩによって与えられるＵＳＳにマップされる場合には、該対応するＤＣＩフォーマットに付加されるＣＲＣパリティビットの数は、１６または２４であってもよい。
【０１２９】
すなわち、基地局装置３は、２４ビットのＣＲＣパリティビットを含むＰＤＣＣＨ（ＤＣＩフォーマットでもよい）をモニタするよう端末装置１に対して設定し、且つ、該ＤＣＩフォーマットを、少なくとも、Ｃ−ＲＮＴＩによって与えられるＵＳＳにおいて送信する場合には、該ＤＣＩフォーマットに２４ビットのＣＲＣパリティビットを付加して送信してもよい。また、端末装置１は、端末装置１が２４ビットのＣＲＣパリティビットを含むＰＤＣＣＨ（ＤＣＩフォーマットでもよい）をモニタするよう設定され、且つ、ＤＣＩフォーマットを、少なくとも、Ｃ−ＲＮＴＩによって与えられるＵＳＳにおいて受信する場合には、２４ビットのＣＲＣパリティビットが付加されたＤＣＩフォーマットを受信してもよい。
【０１３０】
すなわち、基地局装置３は、２４ビットのＣＲＣパリティビットを含むＰＤＣＣＨ（ＤＣＩフォーマットでもよい）をモニタするよう端末装置１に対して設定した場合において、少なくともＣ−ＲＮＴＩによって与えられるＵＳＳにおいて２４ビットのＣＲＣパリティビットが付加されたＤＣＩを送信し、且つ、ＣＳＳにおいて１６ビットのＣＲＣパリティビットが付加されたＤＣＩを送信してもよい。
【０１３１】
また、基地局装置３は、２４ビットのＣＲＣパリティビットを含むＰＤＣＣＨ（ＤＣＩフォーマットでもよい）をモニタするよう端末装置１に対して設定していない場合において、少なくともＣ−ＲＮＴＩによって与えられるＵＳＳにおいて１６ビットのＣＲＣパリティビットが付加されたＤＣＩを送信し、且つ、ＣＳＳにおいて１６ビットのＣＲＣパリティビットが付加されたＤＣＩを送信してもよい。
【０１３２】
また、端末装置１は、２４ビットのＣＲＣパリティビットを含むＰＤＣＣＨ（ＤＣＩフォーマットでもよい）をモニタするよう設定された場合において、少なくともＣ−ＲＮＴＩによって与えられるＵＳＳにおいて２４ビットのＣＲＣパリティビットが付加されたＤＣＩをモニタし、且つ、ＣＳＳにおいて１６ビットのＣＲＣパリティビットが付加されたＤＣＩをモニタしてもよい。
【０１３３】
また、端末装置１は、２４ビットのＣＲＣパリティビットを含むＰＤＣＣＨ（ＤＣＩフォーマットでもよい）をモニタするよう設定されていない場合において、少なくともＣ−ＲＮＴＩによって与えられるＵＳＳにおいて１６ビットのＣＲＣパリティビットが付加されたＤＣＩをモニタし、且つ、ＣＳＳにおいて１６ビットのＣＲＣパリティビットが付加されたＤＣＩをモニタしてもよい。
【０１３４】
また、基地局装置３は、２４ビットのＣＲＣパリティビットを含むＰＤＣＣＨ（ＤＣＩフォーマットでもよい）をモニタするよう端末装置１に対して設定したかどうかに関わらず、少なくとも、Ｔｅｍｐｏｒａｒｙ  Ｃ−ＲＮＴＩによって与えられるＵＳＳにおいて１６ビットのＣＲＣパリティビットが付加されたＤＣＩを送信してもよい。
【０１３５】
また、端末装置１は、２４ビットのＣＲＣパリティビットを含むＰＤＣＣＨ（ＤＣＩフォーマットでもよい）をモニタするよう設定されているかどうかに関わらず、少なくとも、Ｔｅｍｐｏｒａｒｙ  Ｃ−ＲＮＴＩによって与えられるＵＳＳにおいて１６ビットのＣＲＣパリティビットが付加されたＤＣＩをモニタしてもよい。
【０１３６】
ここで、例えば、対応するＤＣＩフォーマットに付加されるＣＲＣパリティビットが、所定のＲＮＴＩによってスクランブルされる場合には、該対応するＤＣＩフォーマットに付加されるＣＲＣパリティビットの数は１６であってもよい。ここで、該所定のＲＮＴＩには、Ｃ−ＲＮＴＩは含まれなくてもよい。また、該所定のＲＮＴＩには、ＳＰＳ  Ｃ−ＲＮＴＩは含まれなくてもよい。また、該所定のＲＮＴＩには、Ｔｅｍｐｏｒａｒｙ  Ｃ−ＲＮＴＩが含まれてもよい。また、該所定のＲＮＴＩには、ＲＡ−ＲＮＴＩ（Random Access Radio Network Temporary Identifier）が含まれてもよい。
【０１３７】
すなわち、基地局装置３は、２４ビットのＣＲＣパリティビットを含むＰＤＣＣＨ（ＤＣＩフォーマットでもよい）をモニタするよう端末装置１に対して設定したかどうかに関わらず、ＲＡ−ＲＮＴＩによってスクランブルされた、１６ビットのＣＲＣパリティビットが付加されたＤＣＩを送信してもよい。
【０１３８】
また、端末装置１は、２４ビットのＣＲＣパリティビットを含むＰＤＣＣＨ（ＤＣＩフォーマットでもよい）をモニタするよう設定されているかどうかに関わらず、ＲＡ−ＲＮＴＩによってスクランブルされた、１６ビットのＣＲＣパリティビットが付加されたＤＣＩをモニタしてもよい。
【０１３９】
ここで、ＲＡ−ＲＮＴＩによってスクランブルされたＣＲＣパリティビットが付加されたＤＣＩは、ＣＳＳのみにおいて送信されてもよい。すなわち、ＲＡ−ＲＮＴＩによってスクランブルされた、１６ビットのＣＲＣパリティビットが付加されたＤＣＩは、ＣＳＳのみにおいて送信されてもよい。
【０１４０】
また、２４ビットのＣＲＣパリティビットは、Ｃ−ＲＮＴＩによってスクランブルされてもよい。また、１６ビットのＣＲＣパリティビットは、Ｃ−ＲＮＴＩまたはＴｅｍｐｏｒａｒｙ  Ｃ−ＲＮＴＩによってスクランブルされてもよい。
【０１４１】
すなわち、条件（ａ）から条件（ｄ）の全てを満たさない場合には、対応するＤＣＩフォーマットに付加されるＣＲＣパリティビットの数は２４であってもよい。例えば、（１）端末装置１が２４ビットのＣＲＣパリティビットを含むＰＤＣＣＨをモニタするよう上位層のパラメータ（例えば、ＲＲＣ層のパラメータ）を用いて設定されており、且つ、（２）対応するＤＣＩフォーマットが、少なくとも、Ｃ−ＲＮＴＩによって与えられるＵＳＳにマップされ、且つ、（３）対応するＤＣＩフォーマットに付加されるＣＲＣパリティビットが、所定のＲＮＴＩ以外のＲＮＴＩ（例えば、Ｃ−ＲＮＴＩ）によってスクランブルされる場合には、対応するＤＣＩフォーマットに付加されるＣＲＣパリティビットの数は、２４であってもよい。
【０１４２】
ここで、上述の処理において、条件（ａ）から条件（ｄ）の全てまたは一部が用いられてもよいことは勿論である。また、上述の処理において、条件（ａ）から条件（ｄ）とは別の条件が用いられてもよいことは勿論である。
【０１４３】
以下、ＣＲＣパリティビットがＲＮＴＩによってスクランブルされる際の方法について詳述する。本実施形態においては、ビット数が１６ビットのＲＮＴＩについて記載するが、ＲＮＴＩのビット数は１６ビット以外であってもよいことは勿論である。ここで、ＲＮＴＩによってＣＲＣパリティビットがスクランブルされる処理は、基地局装置３によって実行されてもよい。すなわち、端末装置１は、ＣＲＣパリティチェックを実行する場合において、ＲＮＴＩによってＣＲＣパリティビットがスクランブルされたことを考慮してもよい。
【０１４４】
すなわち、ＣＲＣパリティビットを、ＲＮＴＩによってスクランブルされることによって与えられるビット系列に基づいて、誤り検出が提供されてもよい。また、ＣＲＣパリティビットを、ＲＮＴＩによってスクランブルされることによって与えられるビット系列に基づいて、誤り検出が実行されてもよい。
【０１４５】
ここで、本実施形態において、「数が１６のＣＲＣパリティビット」を、「１６ビットＣＲＣ」、「１６ビットのＣＲＣ」、または、「１６ビットのＣＲＣパリティビット」とも記載する。また、本実施形態において、「数が２４のＣＲＣパリティビット」を、「２４ビットＣＲＣ」、「２４ビットのＣＲＣ」、または、「２４ビットのＣＲＣパリティビット」とも記載する。
【０１４６】
図４は、本実施形態におけるＣＲＣパリティビットの付加を説明するための図である。上述したように、ＣＲＣパリティビットはＤＣＩフォーマット（ＤＣＩ：下りリンク制御情報でもよい）へ付加されてもよい。また、ＣＲＣパリティビットはＤＣＩフォーマットへ付加された後に、ＲＮＴＩによってスクランブルされてもよい。
【０１４７】
図４において、ａｉは、ＣＲＣパリティビットに対応するＤＣＩのビット（ＤＣＩのペイロード）であってもよい。また、Ａは、ＣＲＣパリティビットに対応するＤＣＩのビットの数（ＤＣＩのペイロードのサイズ）であってもよい。また、ｐｉは、ＣＲＣパリティビットである。また、Ｌは、ＣＲＣパリティビットの数であってもよい。また、ビット系列＜ｂ０,…,ｂＢ−１＞は、ＤＣＩ（ＤＣＩのペイロード）＜ａ０,…,ａＡ−１＞にＣＲＣパリティビット＜ｐ０,…,ｐＬ−１＞が付加されることによって与えられてもよい。以下、図５から図８の説明においても、各記号は、同じ意味で用いられる。
【０１４８】
図５は、本実施形態におけるＲＮＴＩによるＣＲＣパリティビットのスクランブリングを説明するための図である。図５に示すように、ビット系列＜ｃ０,…,ｃＢ−１＞（Ｂ＝Ａ＋Ｌ）は、ビット系列＜ｂ０,…,ｂＡ−１,ｂＡ,…,ｂＡ＋１５＞のうちの一部＜ｂＡ,…,ｂＡ＋１５＞が、ＲＮＴＩ＜ｘｒｎｔｉ，０,…, ｘｒｎｔｉ，１５＞によってスクランブルされることによって与えられてもよい。すなわち、ビット系列＜ｂ０,…,ｂＡ＋Ｌ−１＞（Ｌ＝１６）のうちのＣＲＣパリティビット＜ｂＡ,…,ｂＡ＋Ｌ−１＞（Ｌ＝１６）が、ＲＮＴＩ＜ｘｒｎｔｉ，０,…, ｘｒｎｔｉ，１５＞によってスクランブルされることによって、ビット系列＜ｃ０,…,ｃＡ＋Ｌ−１＞が与えられ、ＰＤＣＣＨで送受信されてもよい。
【０１４９】
ここで、ビット系列＜ｂ０,…,ｂＡ−１,ｂＡ,…,ｂＡ＋１５＞は、ＤＣＩのペイロード＜ａ０,…,ａＡ−１＞に１６ビットＣＲＣ＜ｐ０,…,ｐＬ−１＞を付加することによって与えられてもよい。すなわち、ビット系列＜ｂ０,…,ｂＡ−１＞はＤＣＩ（ＤＣＩのペイロード）であり、ビット系列＜ｂＡ,…,ｂＡ＋１５＞は１６ビットＣＲＣであってもよい。すなわち、１６ビットＣＲＣ＜ｂＡ,…,ｂＡ＋１５＞は、ＲＮＴＩ＜ｘｒｎｔｉ，０,…, ｘｒｎｔｉ，１５＞によってスクランブルされてもよい。
【０１５０】
すなわち、Ｌ（ＣＲＣパリティビットの数）が１６の場合において、ビット系列＜ｃ０,…,ｃＡ＋Ｌ−１＞は、以下の数式１によって与えられてもよい。
【数１】
2018137492.tif 000003
【０１５１】
図６は、本実施形態におけるＲＮＴＩによるＣＲＣパリティビットのスクランブリングを説明するための別の図である。図６に示すように、ビット系列＜ｃ０,…,ｃＢ−１＞（Ｂ＝Ａ＋Ｌ）は、ビット系列＜ｂ０,…,ｂＡ−１,ｂＡ,…,ｂＡ＋２３＞のうちの一部＜ｂＡ+８,…,ｂＡ＋２３＞が、ＲＮＴＩ＜ｘｒｎｔｉ，０,…, ｘｒｎｔｉ，１５＞によってスクランブルされることによって与えられてもよい。すなわち、ビット系列＜ｂ０,…,ｂＡ＋Ｌ−１＞（Ｌ＝２３）におけるＣＲＣパリティビット＜ｂＡ,…,ｂＡ＋Ｌ−１＞（Ｌ＝２３）のうちのビット系列＜ｂＡ＋８,…,ｂＡ＋Ｌ−１＞（Ｌ＝２３）が、ＲＮＴＩ＜ｘｒｎｔｉ，０,…, ｘｒｎｔｉ，１５＞によってスクランブルされることによって、ビット系列＜ｃ０,…,ｃＡ＋Ｌ−１＞が与えられ、ＰＤＣＣＨで送受信されてもよい。
【０１５２】
ここで、ビット系列＜ｂ０,…,ｂＡ−１,ｂＡ,…,ｂＡ＋２３＞は、ＤＣＩのペイロード＜ａ０,…,ａＡ−１＞に２４ビットＣＲＣ＜ｐ０,…,ｐＬ−１＞を付加することによって与えられてもよい。すなわち、ビット系列＜ｂ０,…,ｂＡ−１＞はＤＣＩ（ＤＣＩのペイロード）であり、ビット系列＜ｂＡ,…,ｂＡ＋２３＞は２４ビットＣＲＣであってもよい。すなわち、２４ビットＣＲＣ＜ｂＡ,…,ｂＡ＋２３＞のうちのビット系列＜ｂＡ＋８,…,ｂＡ＋２３＞は、ＲＮＴＩ＜ｘｒｎｔｉ，０,…, ｘｒｎｔｉ，１５＞によってスクランブルされてもよい。すなわち、２４ビットＣＲＣ＜ｂＡ,…,ｂＡ＋２３＞のうちのビット系列＜ｂＡ,…,ｂＡ＋７＞は、ＲＮＴＩ＜ｘｒｎｔｉ，０,…, ｘｒｎｔｉ，１５＞によってスクランブルされなくてもよい。
【０１５３】
すなわち、Ｌ（ＣＲＣパリティビットの数）が２４の場合において、ビット系列＜ｃ０,…,ｃＡ＋Ｌ−１＞は、以下の数式２によって与えられてもよい。
【数２】
2018137492.tif 000004
【０１５４】
図７は、本実施形態におけるＲＮＴＩによるＣＲＣパリティビットのスクランブリングを説明するための別の図である。ここで、ビット系列＜ｃ０,…,ｃＢ−１＞（Ｂ＝Ａ＋Ｌ）は、図７に示されるような処理によって与えられ、ＰＤＣＣＨで送受信されてもよい。
【０１５５】
すなわち、ビット系列＜ｂ０,…,ｂＡ−１,ｂＡ,…,ｂＡ＋２３＞のうちの一部＜ｂＡ+８,…,ｂＡ＋２３＞が、ＲＮＴＩ＜ｘｒｎｔｉ，０,…, ｘｒｎｔｉ，１５＞によってスクランブルされてもよい。すなわち、ビット系列＜ｂ０,…,ｂＡ＋Ｌ−１＞（Ｌ＝２３）におけるＣＲＣパリティビット＜ｂＡ,…,ｂＡ＋Ｌ−１＞（Ｌ＝２３）のうちのビット系列＜ｂＡ＋８,…,ｂＡ＋Ｌ−１＞（Ｌ＝２３）が、ＲＮＴＩ＜ｘｒｎｔｉ，０,…, ｘｒｎｔｉ，１５＞によってスクランブルされてもよい。
【０１５６】
ここで、ビット系列＜ｂ０,…,ｂＡ−１,ｂＡ,…,ｂＡ＋２３＞は、ＤＣＩのペイロード＜ａ０,…,ａＡ−１＞に２４ビットＣＲＣ＜ｐ０,…,ｐＬ−１＞を付加することによって与えられてもよい。すなわち、ビット系列＜ｂ０,…,ｂＡ−１＞はＤＣＩ（ＤＣＩのペイロード）であり、ビット系列＜ｂＡ,…,ｂＡ＋２３＞は２４ビットＣＲＣであってもよい。すなわち、２４ビットＣＲＣ＜ｂＡ,…,ｂＡ＋２３＞のうちのビット系列＜ｂＡ＋８,…,ｂＡ＋２３＞は、ＲＮＴＩ＜ｘｒｎｔｉ，０,…, ｘｒｎｔｉ，１５＞によってスクランブルされてもよい。
【０１５７】
また、２４ビットＣＲＣ＜ｂＡ,…,ｂＡ＋２３＞のうちのビット系列＜ｂＡ,…,ｂＡ＋７＞は、ＲＮＴＩ＜ｘｒｎｔｉ，０,…, ｘｒｎｔｉ，１５＞のうちのビット系列＜ｘｒｎｔｉ，８,…, ｘｒｎｔｉ，１５＞によってスクランブルされてもよい。すなわち、２４ビットＣＲＣ＜ｂＡ,…,ｂＡ＋２３＞のうちのビット系列＜ｂＡ,…,ｂＡ＋７＞は、ＲＮＴＩ＜ｘｒｎｔｉ，０,…, ｘｒｎｔｉ，１５＞のうちの一部＜ｘｒｎｔｉ，８,…, ｘｒｎｔｉ，１５＞によってスクランブルされてもよい。
【０１５８】
すなわち、Ｌ（ＣＲＣパリティビットの数）が２４の場合において、ビット系列＜ｃ０,…,ｃＡ＋Ｌ−１＞は、以下の数式３によって与えられてもよい。
【数３】
2018137492.tif 000005
【０１５９】
図８は、本実施形態におけるＲＮＴＩによるＣＲＣパリティビットのスクランブリングを説明するための別の図である。ここで、ビット系列＜ｃ０,…,ｃＢ−１＞（Ｂ＝Ａ＋Ｌ）は、図８に示されるような処理によって与えられ、ＰＤＣＣＨで送受信されてもよい。
【０１６０】
すなわち、ビット系列＜ｂ０,…,ｂＡ−１,ｂＡ,…,ｂＡ＋２３＞のうちの一部＜ｂＡ+８,…,ｂＡ＋２３＞が、ＲＮＴＩ＜ｘｒｎｔｉ，０,…, ｘｒｎｔｉ，１５＞によってスクランブルされてもよい。すなわち、ビット系列＜ｂ０,…,ｂＡ＋Ｌ−１＞（Ｌ＝２３）におけるＣＲＣパリティビット＜ｂＡ,…,ｂＡ＋Ｌ−１＞（Ｌ＝２３）のうちのビット系列＜ｂＡ＋８,…,ｂＡ＋Ｌ−１＞（Ｌ＝２３）が、ＲＮＴＩ＜ｘｒｎｔｉ，０,…, ｘｒｎｔｉ，１５＞によってスクランブルされてもよい。
【０１６１】
ここで、ビット系列＜ｂ０,…,ｂＡ−１,ｂＡ,…,ｂＡ＋２３＞は、ＤＣＩのペイロード＜ａ０,…,ａＡ−１＞に２４ビットＣＲＣ＜ｐ０,…,ｐＬ−１＞を付加することによって与えられてもよい。すなわち、ビット系列＜ｂ０,…,ｂＡ−１＞はＤＣＩ（ＤＣＩのペイロード）であり、ビット系列＜ｂＡ,…,ｂＡ＋２３＞は２４ビットＣＲＣであってもよい。すなわち、２４ビットＣＲＣ＜ｂＡ,…,ｂＡ＋２３＞のうちのビット系列＜ｂＡ＋８,…,ｂＡ＋２３＞は、ＲＮＴＩ＜ｘｒｎｔｉ，０,…, ｘｒｎｔｉ，１５＞によってスクランブルされてもよい。
【０１６２】
また、２４ビットＣＲＣ＜ｂＡ,…,ｂＡ＋２３＞のうちのビット系列＜ｂＡ,…,ｂＡ＋７＞は、ＲＮＴＩ＜ｘｒｎｔｉ，０,…, ｘｒｎｔｉ，１５＞のうちのビット系列＜ｘｒｎｔｉ，８,…, ｘｒｎｔｉ，１５＞、および、ＲＮＴＩ＜ｘｒｎｔｉ，０,…, ｘｒｎｔｉ，１５＞のうちのビット系列＜ｘｒｎｔｉ，０,…, ｘｒｎｔｉ，７＞によってスクランブルされてもよい。すなわち、２４ビットＣＲＣ＜ｂＡ,…,ｂＡ＋２３＞のうちのビット系列＜ｂＡ,…,ｂＡ＋７＞は、ＲＮＴＩ＜ｘｒｎｔｉ，０,…, ｘｒｎｔｉ，１５＞のうちの一部＜ｘｒｎｔｉ，８,…, ｘｒｎｔｉ，１５＞、および、ＲＮＴＩ＜ｘｒｎｔｉ，０,…, ｘｒｎｔｉ，１５＞のうちの残り＜ｘｒｎｔｉ，０,…, ｘｒｎｔｉ，７＞によってスクランブルされてもよい。
【０１６３】
すなわち、Ｌ（ＣＲＣパリティビットの数）が２４の場合において、ビット系列＜ｃ０,…,ｃＡ＋Ｌ−１＞は、以下の数式４によって与えられてもよい。
【数４】
2018137492.tif 000006
【０１６４】
上述のように、ＲＮＴＩによってスクランブルされるＣＲＣパリティビットの数を増加することによって、端末装置１が、他の端末装置１に対するＲＮＴＩによってスクランブルされるＣＲＣパリティビットを含むＰＤＣＣＨを、該端末装置１に対するＲＮＴＩによってスクランブルされるＣＲＣパリティビットを含むＰＤＣＣＨだと誤って判定してしまう確率を下げることができる。
【０１６５】
ここで、ＣＲＣパリティビットの数を増加することによって、ＰＤＣＣＨでの送信に対する符号化率の低下、および／または、ＰＤＣＣＨでの送信に対して必要なリソース量の増加をもたらす。したがって、上述のように、所定の条件に応じて、対応するＤＣＩフォーマット（ＤＣＩ：下りリンク制御情報でもよい）に付加されるＣＲＣパリティビットの数を切り替えることによって、基地局装置３と端末装置１において効率的に通信することが可能となる。
【０１６６】
図９は、本実施形態におけるＣＲＣパリティビットが付加される下りリンク制御情報を説明するための図である。図９の上段に示される下りリンク制御情報は、２４ビットＣＲＣが付加される下りリンク制御情報を示している。また、図９の下段に示される下りリンク制御情報は、１６ビットＣＲＣが付加される下りリンク制御情報を示している。
【０１６７】
図９において、ビット系列＜ｂ０,…,ｂＡ−１＞は、第１の端末装置１に対するＤＣＩ（下りリンク制御情報）を示している。また、ビット系列＜ｂＡ,…,ｂＡ＋２３＞は、２４ビットＣＲＣを示している。また、ビット系列＜ｘｒｎｔｉ，０,…, ｘｒｎｔｉ，１５＞は、第１の端末装置１に割り当てられたＲＮＴＩを示している。
【０１６８】
また、ビット系列＜ｂ’０’,…,ｂ’Ａ’−１＞は、第２の端末装置１に対する下りリンク制御情報を示している。また、ビット系列＜ｂ’Ａ’,…,ｂ’Ａ’＋１５＞は、１６ビットＣＲＣを示している。また、ビット系列＜ｘ’ｒｎｔｉ，０,…, ｘ’ｒｎｔｉ，１５＞は、第２の端末装置１に割り当てられたＲＮＴＩを示している。
【０１６９】
ここで、２４ビットＣＲＣ＜ｂＡ,…,ｂＡ＋２３＞のうちのビット系列＜ｂＡ,…,ｂＡ＋１５＞は、ＲＮＴＩ＜ｘｒｎｔｉ，０,…, ｘｒｎｔｉ，１５＞によってスクランブルされてもよい。すなわち、２４ビットＣＲＣ＜ｂＡ,…,ｂＡ＋２３＞のうちのビット系列＜ｂＡ＋１６,…,ｂＡ＋２３＞は、ＲＮＴＩ＜ｘｒｎｔｉ，０,…, ｘｒｎｔｉ，１５＞のうちの一部＜ｘｒｎｔｉ，８,…, ｘｒｎｔｉ，１５＞、および、ＲＮＴＩ＜ｘｒｎｔｉ，０,…, ｘｒｎｔｉ，１５＞のうちの残り＜ｘｒｎｔｉ，０,…, ｘｒｎｔｉ，７＞によってスクランブルされてもよい。
【０１７０】
また、１６ビットＣＲＣ＜ｂ’Ａ’,…,ｂ’Ａ’＋１５＞は、ＲＮＴＩ＜ｘ’ｒｎｔｉ，０,…, ｘ’ｒｎｔｉ，１５＞によってスクランブルされてもよい。
【０１７１】
ここで、第２の端末装置１に対して、第１の端末装置１に対するＲＮＴＩとは異なるＲＮＴＩを割り当てたとしても、第１の端末装置１に対する２４ビットＣＲＣのうちの後半の１６ビット＜ｂＡ＋８,…,ｂＡ＋２３＞に対して適用されるスクランブリングが、第２の端末装置１に対する１６ビットＣＲＣ＜ｂ’Ａ’,…,ｂ’Ａ’＋１５＞に対して適用されるスクランブリングと同じになってしまうことがある。この場合においては、第２の端末装置１が、第１の端末装置１宛てのＰＤＣＣＨを、第２の端末装置１のＰＤＣＣＨとして検出してしまう確率が上がってしまう。
【０１７２】
例えば、第１の端末装置１に対してＲＮＴＩ＜１，１，１，１，１，１，１，１，１，１，１，１，１，１，１，１＞を割り当て、第２の端末装置１に対してＲＮＴＩ＜１，１，１，１，１，１，１，１，０，０，０，０，０，０，０，０＞を割り当てた場合において、第１の端末装置１に対する２４ビットＣＲＣのうちの後半の１６ビット、および、第２の端末装置１に対する１６ビットＣＲＣは、ともに、ビット系列＜１，１，１，１，１，１，１，１，０，０，０，０，０，０，０，０＞によってスクランブルされる。
【０１７３】
そこで、基地局装置３は、第１の端末装置１に対する２４ビットＣＲＣのうちの後半の１６ビット＜ｂＡ＋８,…,ｂＡ＋２３＞に対して適用されるスクランブリングが、第２の端末装置１に対する１６ビットＣＲＣ＜ｂ’Ａ’,…,ｂ’Ａ’＋１５＞に対して適用されるスクランブリングと同じにならないように、第１の端末装置１および第２の端末装置１のそれぞれに対してＲＮＴＩを割り当ててもよい。
【０１７４】
また、図６、図７、および、図８で示した例のように、第１の端末装置１に対する２４ビットＣＲＣのうちの後半の１６ビット＜ｂＡ＋８,…,ｂＡ＋２３＞が、第１の端末装置１に対して割り当てられたＲＮＴＩ＜ｘｒｎｔｉ，０,…, ｘｒｎｔｉ，１５＞によってスクランブルされることによって、第２の端末装置１に対して、第１の端末装置１に対して割り当てたＲＮＴＩとは異なるＲＮＴＩを割り当てた場合、第１の端末装置１に対する２４ビットＣＲＣのうちの後半の１６ビット＜ｂＡ＋８,…,ｂＡ＋２３＞に対して適用されるスクランブリングと、第２の端末装置１に対する１６ビットＣＲＣ＜ｂ’Ａ’,…,ｂ’Ａ’＋１５＞に対して適用されるスクランブリングを、必ず異なるようにすることが可能となる。
【０１７５】
上述のような動作を実行することによって、基地局装置３と端末装置１において、効率的に通信することが可能となる。
【０１７６】
以下、本実施形態におけるＵＥ送信アンテナ選択について説明する。ここで、ＵＥ送信アンテナ選択には、閉ループＵＥ送信アンテナ選択、および、開ループＵＥ送信アンテナ選択が含まれてもよい。
【０１７７】
例えば、ＵＥ送信アンテナ選択は、端末装置１によって実行されてもよい。また、ＵＥ送信アンテナ選択は、ＰＵＳＣＨ、ＰＵＳＣＨに関するＤＭＲＳ、および、ＳＲＳに対して適用されてもよい。または、ＵＥ送信アンテナ選択は、ＰＵＣＣＨ、ＰＵＣＣＨに関するＤＭＲＳ、および、ＰＲＡＣＨに対して適用されなくてもよい。ここで、ＰＵＣＣＨ、ＰＵＣＣＨに関するＤＭＲＳ、および、ＰＲＡＣＨは、第１の送信アンテナポートを用いて送信されてもよい。
【０１７８】
また、ＵＥ送信アンテナ選択は、上位層のパラメータ（ue-TransmitAntennaSelection）を介して、上位層によって設定されてもよい。すなわち、上位層のパラメータ（ue-TransmitAntennaSelection）は、基地局装置３によって端末装置１に通知されてもよい。
【０１７９】
ここで、上位層のパラメータ（ue-TransmitAntennaSelection）は、リリース、または、セットアップを示すために用いられてもよい。例えば、上位層のパラメータ（ue-TransmitAntennaSelection）は、セットアップに対して、ＵＥ送信アンテナ選択の制御が閉ループであるか開ループであるかを示すために用いられてもよい。また、受信された上位層のパラメータ（ue-TransmitAntennaSelection）がリリースを示す場合には、ＵＥ送信アンテナ選択は、端末装置１によって無効にされてもよい。
【０１８０】
また、受信された上位層のパラメータ（ue-TransmitAntennaSelection）によってＵＥ送信アンテナ選択の制御が閉ループであることが示される場合には、上位層によって閉ループＵＥ送信アンテナ選択が有効にされてもよい。また、受信された上位層のパラメータ（ue-TransmitAntennaSelection）によってＵＥ送信アンテナ選択の制御が開ループであることが示される場合には、上位層によって開ループＵＥ送信アンテナ選択が有効にされてもよい。
【０１８１】
ここで、ＵＥ送信アンテナ選択が端末装置１によって無効にされている場合には、端末装置１は、第１の送信アンテナポートを用いて、上述したような、上りリンクの信号を送信してもよい。
【０１８２】
また、上位層によって開ループＵＥ送信アンテナ選択が有効にされている場合には、ＰＵＳＣＨおよび／またはＳＲＳのための送信アンテナ（送信アンテナポート）は、端末装置１自身によって選択されてもよい。
【０１８３】
また、上位層によって閉ループＵＥ送信アンテナ選択が有効にされている場合には、端末装置１は、基地局装置３から受信した最新の送信アンテナ選択コマンド（most recent command）を参照することによって、ＰＵＳＣＨのための送信アンテナポートを選択してもよい。
【０１８４】
ここで、送信アンテナ選択コマンドは、ＣＲＣパリティビットに対するアンテナ選択マスクによって通知されてもよい。すなわち、「送信アンテナ選択コマンド」は、「アンテナ選択マスク」と同一であってもよい。
【０１８５】
すなわち、基地局装置３は、アンテナ選択マスクによって、ＰＵＳＣＨのための送信アンテナポートを端末装置１に通知する。また、基地局装置３は、アンテナ選択マスクを選択し、選択したアンテナ選択マスクによってＣＲＣパリティビットをスクランブルしてもよい。例えば、上位層によって閉ループＵＥ送信アンテナ選択が有効にされている場合には、端末装置１は、アンテナ選択マスクによってスクランブルされたＣＲＣパリティビットに基づいて、基地局装置３によって選択されたアンテナ選択マスクを特定（決定）してもよい。
【０１８６】
図１０は、本実施形態における１６ビットＣＲＣに対するアンテナ選択マスクを説明するための図である。図１０において、１６ビットＣＲＣ＜ｂＡ,…,ｂＡ＋１５＞が、ＲＮＴＩ＜ｘｒｎｔｉ，０,…, ｘｒｎｔｉ，１５＞およびアンテナ選択マスク＜ｘＡＳ，０,…, ｘＡＳ，１５＞によってスクランブルされることが示されている。ここで、図１０における、それ以外の説明は、図５と同様であるので、省略する。
【０１８７】
図１０に示されるように、Ｌ（ＣＲＣパリティビットの数）が１６の場合において、ビット系列＜ｃ０,…,ｃＡ＋Ｌ−１＞は、以下の数式５によって与えられてもよい。
【数５】
2018137492.tif 000007
【０１８８】
図１１は、本実施形態における２４ビットＣＲＣに対するアンテナ選択マスクを説明するための図である。図１１に示されるように、２４ビットＣＲＣ＜ｂＡ,…,ｂＡ＋２３＞のうちのビット系列＜ｂＡ,…,ｂＡ＋７＞が、ＲＮＴＩ＜ｘｒｎｔｉ，０,…, ｘｒｎｔｉ，１５＞のうちの一部＜ｘｒｎｔｉ，８,…, ｘｒｎｔｉ，１５＞、ＲＮＴＩ＜ｘｒｎｔｉ，０,…, ｘｒｎｔｉ，１５＞のうちの残り＜ｘｒｎｔｉ，０,…, ｘｒｎｔｉ，７＞、および、アンテナ選択マスク＜ｘＡＳ，０,…, ｘＡＳ，１５＞によってスクランブルされてもよい。ここで、図１１における、それ以外の説明は、図８と同様であるので、省略する。
【０１８９】
図１１に示されるように、Ｌ（ＣＲＣパリティビットの数）が２４の場合において、ビット系列＜ｃ０,…,ｃＡ＋Ｌ−１＞は、以下の数式６によって与えられてもよい。
【数６】
2018137492.tif 000008
【０１９０】
ここで、図１０、および、図１１に示されるように、１６ビットＣＲＣに対して適用される複数のアンテナ選択マスクの第１のセットと、２４ビットＣＲＣに対して適用される複数のアンテナ選択マスクの第２のセットは異なってもよい。すなわち、図１０、および、図１１に示されるように、１６ビットＣＲＣに対して適用される複数のアンテナ選択マスクの第１のセット＜ｘＡＳ，０,…, ｘＡＳ，１５＞（すなわち、＜０，０，０，０，０，０，０，０，０，０，０，０，０，０，０，０＞、および、＜０，０，０，０，０，０，０，０，０，０，０，０，０，０，０，１＞）と、２４ビットＣＲＣに対して適用される複数のアンテナ選択マスクの第２のセット＜ｘ’ＡＳ，０,…, ｘ’ＡＳ，７＞（すなわち、＜０，０，０，０，０，０，０，０＞、および、＜０，０，０，０，０，０，０，１＞）は異なってもよい。
【０１９１】
例えば、１６ビットＣＲＣに対して適用される複数のアンテナ選択マスクの第１のセットは、第１のアンテナ選択マスク（例えば、＜０，０，０，０，０，０，０，０，０，０，０，０，０，０，０，０＞）、および、第２のアンテナ選択マスク（例えば、＜０，０，０，０，０，０，０，０，０，０，０，０，０，０，０，１＞）を含んでもよい。ここで、第１のアンテナ選択マスクは、第１の送信アンテナポートを示すために用いられてもよい。また、第２のアンテナ選択マスクは、第２の送信アンテナポートを示すために用いられてもよい。
【０１９２】
また、２４ビットＣＲＣに対して適用される複数のアンテナ選択マスクの第２のセットは、第３のアンテナ選択マスク（例えば、＜０，０，０，０，０，０，０，０＞）、および、第４のアンテナ選択マスク（例えば、＜０，０，０，０，０，０，０，１＞）を含んでもよい。ここで、第３のアンテナ選択マスクは、第１の送信アンテナポートを示すために用いられてもよい。また、第４のアンテナ選択マスクは、第２の送信アンテナポートを示すために用いられてもよい。
【０１９３】
すなわち、ＣＲＣパリティビットの数（Ｌの値）が１６の場合には、第１のアンテナ選択マスクによって第１の送信アンテナポートが与えられてもよい。また、ＣＲＣパリティビットの数（Ｌの値）が２４の場合には、第３のアンテナ選択マスクによって第１の送信アンテナポートが与えられてもよい。ここで、第１のアンテナ選択マスクと第３のアンテナ選択マスクは、異なっていてもよい。例えば、アンテナ選択マスクのビットの数は、Ｌが１６の場合には１６であり、Ｌが２４の場合には８であってもよい。また、アンテナ選択マスクのビットのそれぞれの値は、Ｌが１６の場合とＬが２４の場合で、異なってもよい。
【０１９４】
同様に、ＣＲＣパリティビットの数（Ｌの値）が１６の場合には、第２のアンテナ選択マスクによって第２の送信アンテナポートが与えられてもよい。また、ＣＲＣパリティビットの数（Ｌの値）が２４の場合には、第４のアンテナ選択マスクによって第２の送信アンテナポートが与えられてもよい。ここで、第２のアンテナ選択マスクと第４のアンテナ選択マスクは、異なっていてもよい。例えば、アンテナ選択マスクのビットの数は、Ｌが１６の場合には１６であり、Ｌが２４の場合には８であってもよい。また、また、アンテナ選択マスクのビットのそれぞれの値は、Ｌが１６の場合とＬが２４の場合で、異なってもよい。
【０１９５】
ここで、端末装置１は、端末装置１に対して複数のサービングセルが設定されている場合において、１つのサブフレームにおいて、複数の送信アンテナ選択コマンドを受信してもよい。ここで、この場合において、基地局装置３は、１つのサブフレームにおいて、同じ送信アンテナポート（送信アンテナポートの同じ値）を示す複数の送信アンテナ選択コマンドを、複数のサービングセルが設定されている端末装置１へ送信してもよい。すなわち、端末装置１は、１つのサブフレームにおいて複数の送信アンテナ選択コマンドを受信する場合において、該複数の送信アンテナ選択コマンドを用いて同じ送信アンテナポート（送信アンテナポートの同じ値）が示されるとみなしてもよい。
【０１９６】
また、上位層のパラメータ（例えば、ＲＲＣ層のパラメータ）を用いて閉ループＵＥ送信アンテナ選択が有効にされている場合において、端末装置１は、ＳＲＳの送信のカウントされた数を参照することによって、ＳＲＳのための送信アンテナポートを選択してもよい。すなわち、ＳＲＳの送信のための送信アンテナポートは、基地局装置３によって設定されるＳＲＳ送信インスタンス（ＳＲＳの送信のためのサブフレーム）によって与えられてもよい。ここで、端末装置１に対して複数のサービングセルが設定されている場合において、基地局装置３は、端末装置１が異なる送信アンテナポートにおいてＳＲＳを同時に送信しないように、ＳＲＳ送信インスタンスを設定してもよい。
【０１９７】
ここで、端末装置１は、複数のタイミングアドバンスグループが設定される場合において、ＰＵＳＣＨとＰＵＣＣＨの同時送信、ＰＵＳＣＨとＳＲＳの同時送信、ＰＵＣＣＨとＳＲＳの同時送信、ＰＲＡＣＨとＳＲＳの同時送信、および、ＰＲＡＣＨとＰＵＳＣＨの同時送信を行ってもよい。すなわち、端末装置１は、複数のタイミングアドバンスグループが設定される場合において、ＰＵＳＣＨとＰＵＣＣＨの同時送信、ＰＵＳＣＨとＳＲＳの同時送信、ＰＵＣＣＨとＳＲＳの同時送信、ＰＲＡＣＨとＳＲＳの同時送信、および、ＰＲＡＣＨとＰＵＳＣＨの同時送信を行うことを期待される。
【０１９８】
また、端末装置１は、複数のＰＵＣＣＨセルグループが設定される場合において、または、セカンダリーセルにおけるＰＵＣＣＨでの送信が設定される場合において、ＰＵＳＣＨとＰＵＣＣＨの同時送信を行ってもよい。また、端末装置１は、複数のＰＵＣＣＨセルグループが設定される場合において、または、セカンダリーセルにおけるＰＵＣＣＨでの送信が設定される場合において、ＰＵＳＣＨとＰＵＣＣＨの同時送信を行うことを期待される。
【０１９９】
上述のとおり、送信アンテナ選択が適用される上りリンクの信号と、送信アンテナ選択が適用されない上りリンクの信号の同時送信を行うことを端末装置１が期待されるような場合、基地局装置３は、上位層のパラメータ（ue-TransmitAntennaSelection）を介して、端末装置１に対して送信アンテナ選択の無効を指示してもよい。
【０２００】
すなわち、基地局装置３は、送信アンテナ選択が設定された端末装置１に対して、複数のタイミングアドバンスグループ、複数のＰＵＣＣＨセルグループ、および／または、セカンダリーセルにおけるＰＵＣＣＨでの送信を設定しなくてもよい。すなわち、基地局装置３は、送信アンテナ選択が設定された端末装置１に対して、ＭＴＡを設定しなくてもよい。また、基地局装置３は、送信アンテナ選択が設定された端末装置１に対して、複数のＰＵＣＣＨセルグループを設定しなくてもよい。また、基地局装置３は、送信アンテナ選択が設定された端末装置１に対して、セカンダリーセルにおけるＰＵＣＣＨでの送信を設定しなくてもよい。
【０２０１】
ここで、基地局装置３は、複数のタイミングアドバンスグループを設定した端末装置１に対して、複数のＰＵＣＣＨセルグループを設定してもよい。また、基地局装置３は、複数のタイミングアドバンスグループを設定した端末装置１に対して、セカンダリーセルにおけるＰＵＣＣＨでの送信を設定してもよい。すなわち、基地局装置３は、ＭＴＡを設定した端末装置１に対して、複数のＰＵＣＣＨセルグループを設定してもよい。また、基地局装置３は、ＭＴＡを設定した端末装置１に対して、複数のＰＵＣＣＨセルグループを設定してもよい。
【０２０２】
また、端末装置１は、送信アンテナ選択が設定された場合において、複数のタイミングアドバンスグループ、複数のＰＵＣＣＨセルグループ、および／または、セカンダリーセルにおけるＰＵＣＣＨでの送信が設定されることを期待されなくてもよい。すなわち、端末装置１は、送信アンテナ選択が設定された場合において、ＭＴＡが設定されることを期待されなくてもよい。また、端末装置１は、送信アンテナ選択が設定された場合において、複数のＰＵＣＣＨセルグループが設定されることを期待されなくてもよい。また、端末装置１は、送信アンテナ選択が設定された場合において、セカンダリーセルにおけるＰＵＣＣＨでの送信が設定されることを期待されなくてもよい。
【０２０３】
ここで、端末装置１は、複数のタイミングアドバンスグループが設定された場合において、複数のＰＵＣＣＨセルグループが設定されることを期待されてもよい。また、端末装置１は、複数のタイミングアドバンスグループが設定された場合において、セカンダリーセルにおけるＰＵＣＣＨでの送信が設定されることを期待されてもよい。すなわち、端末装置１は、ＭＴＡが設定された場合において、複数のＰＵＣＣＨセルグループが設定されることを期待されてもよい。また、基地局装置３は、ＭＴＡが設定された場合において、複数のＰＵＣＣＨセルグループが設定されることを期待されてもよい。
【０２０４】
ここで、端末装置１は、端末装置１が種々の機能をサポートするかどうかを示すために用いられる機能情報（能力情報：capability informationとも称する）を、基地局装置３に送信してもよい。ここで、機能情報は、複数の機能のそれぞれに対して、機能が成功裏にテストされたかどうかを示してもよい。また、機能情報は、端末装置１が所定の機能をサポートするかどうかを示してもよい。
【０２０５】
例えば、機能情報は、（ｉ）端末装置１が送信アンテナ選択をサポートするかどうか、（ｉｉ）端末装置１がＭＴＡ（Multiple Timing Advance）をサポートするかどうか、（ｉｉｉ）端末装置１が複数のＰＵＣＣＨセルグループをサポートするかどうか、および／または、（ｉｖ）端末装置１がセカンダリーセルにおけるＰＵＣＣＨでの送信をサポートするかどうか、を示すために用いられてもよい。
【０２０６】
例えば、端末装置１によって送信される機能情報が、（ｉ）端末装置１が送信アンテナ選択をサポートすること、および、（ｉｉ）端末装置１がＭＴＡ（Multiple Timing Advance）をサポートすること、を示していた場合であったとしても、基地局装置３は、送信アンテナ選択を設定した端末装置１に対して、複数のタイミングアドバンスグループを設定しなくてもよい。すなわち、端末装置１によって送信される機能情報が、（ｉ）端末装置１が送信アンテナ選択をサポートすること、および、（ｉｉ）端末装置１がＭＴＡ（Multiple Timing Advance）をサポートすること、を示していた場合であったとしても、送信アンテナ選択が設定された端末装置１は、複数のタイミングアドバンスグループが設定されることを期待されなくてもよい。
【０２０７】
また、端末装置１によって送信される機能情報が、（ｉ）端末装置１が送信アンテナ選択をサポートすること、および、（ｉｉ）端末装置１がセカンダリーセルにおけるＰＵＣＣＨでの送信をサポートすること、を示していた場合であったとしても、基地局装置３は、送信アンテナ選択を設定した端末装置１に対して、セカンダリーセルにおけるＰＵＣＣＨでの送信を設定しなくてもよい。すなわち、端末装置１によって機能情報が、（ｉ）端末装置１が送信アンテナ選択をサポートすること、および、（ｉｉ）端末装置１がセカンダリーセルにおけるＰＵＣＣＨでの送信をサポートすること、を示していた場合であったとしても、送信アンテナ選択が設定された端末装置１は、セカンダリーセルにおけるＰＵＣＣＨでの送信が設定されることを期待されなくてもよい。
【０２０８】
基地局装置３と端末装置１が上述のような動作を実行することによって、端末装置１が、上位層によってＵＥ送信アンテナ選択が有効にされた場合においても、異なる送信アンテナポートを用いて上りリンクの信号を同時に送信する必要がなくなり、ＵＥ送信アンテナ選択を実行する能力を持つ端末装置１におけるＲＦ（Radio Frequency）部の構成を簡略化することができる。また、これにより、基地局装置３と端末装置１において、効率的に通信することが可能となる。
【０２０９】
以上、本実施形態について、図面を参照して記述してきたが、具体的な構成は上述の記載に限られるものではなく、この発明の要旨を逸脱しない範囲の設計変更等も含まれる。また、本実施形態は、上述に記載の方法／処理を適宜組み合わせて得られる実施形態についても本発明の技術的範囲に含まれる。
【０２１０】
以下、本実施形態における装置の構成について説明する。
【０２１１】
図１２は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、送信電力制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２１２】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２１３】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２１４】
ここで、上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０２１５】
また、上位層処理部１０１が備える送信電力制御部１０１５は、無線リソース制御部１０１１によって管理されている各種設定情報／パラメータ、ＴＰＣコマンドなどに基づいて、ＰＵＳＣＨおよびＰＵＣＣＨでの送信に対する送信電力の制御を行う。
【０２１６】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２１７】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０２１８】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０２１９】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０２２０】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０２２１】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２２２】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０２２３】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０２２４】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０２２５】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０２２６】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２２７】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０２２８】
図１３は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、送信電力制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２２９】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２３０】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０２３１】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０２３２】
また、上位層処理部３０１が備える送信電力制御部３０１５は、無線リソース制御部３０１１によって管理されている各種設定情報／パラメータ、ＴＰＣコマンドなどを介して、端末装置１によるＰＵＳＣＨおよびＰＵＣＣＨでの送信に対する送信電力の制御を行う。
【０２３３】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２３４】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０２３５】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０２３６】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２３７】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２３８】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０２３９】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０２４０】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２４１】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０２４２】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０２４３】
より具体的には、本実施形態における端末装置１は、第１のＣＲＣパリティビット（例えば、２４ビットＣＲＣ）が付加されたＤＣＩのモニタに関する情報を基地局装置から受信し、前記第１のＣＲＣパリティビット、または、第２のＣＲＣパリティビット（例えば、１６ビットＣＲＣ）が付加されたＤＣＩをモニタする受信部１０５を備えてもよい。ここで、前記第１のＣＲＣパリティビットが付加されたＤＣＩをモニタするよう前記端末装置が設定された場合において、少なくともＣ−ＲＮＴＩによって与えられるユーザー装置スペシフィックサーチスペースで前記第１のＣＲＣパリティビットが付加された前記ＤＣＩをモニタし、且つ、コモンサーチスペースで前記第２のＣＲＣパリティビットが付加された前記ＤＣＩをモニタしてもよい。また、前記第１のＣＲＣパリティビットが付加されたＤＣＩをモニタするよう前記端末装置が設定されていない場合において、前記少なくともＣ−ＲＮＴＩによって与えられるユーザー装置スペシフィックサーチスペースで前記第２のＣＲＣパリティビットが付加された前記ＤＣＩをモニタし、且つ、前記コモンサーチスペースで前記第２のＣＲＣパリティビットが付加された前記ＤＣＩをモニタしてもよい。ここで、前記第１のＣＲＣパリティビットの数は２４であり、前記第２のＣＲＣパリティビットの数は１６であってもよい。
【０２４４】
また、前記受信部１０５は、前記第１のＣＲＣパリティビットが付加されたＤＣＩをモニタするよう前記端末装置が設定されているかどうかに関わらず、少なくともＴｅｍｐｏｒａｒｙ Ｃ−ＲＮＴＩによって与えられるユーザー装置スペシフィックサーチスペースで前記第２のＣＲＣパリティビットが付加された前記ＤＣＩをモニタしてもよい。
【０２４５】
また、前記受信部１０５は、前記第１のＣＲＣパリティビットが付加されたＤＣＩをモニタするよう前記端末装置が設定されているかどうかに関わらず、前記コモンサーチスペースで、ＲＡ−ＲＮＴＩによってスクランブルされた前記第２のＣＲＣパリティビットが付加された前記ＤＣＩをモニタしてもよい。
【０２４６】
ここで、前記第１のＣＲＣパリティビットは、前記Ｃ−ＲＮＴＩによってスクランブルされてもよい。また、前記第２のＣＲＣパリティビットは、前記Ｃ−ＲＮＴＩまたは前記Ｔｅｍｐｏｒａｒｙ Ｃ−ＲＮＴＩによってスクランブルされてもよい。
【０２４７】
また、本実施形態における基地局装置３は、第１のＣＲＣパリティビット（例えば、２４ビットＣＲＣ）が付加されたＤＣＩのモニタに関する情報を端末装置へ送信し、前記第１のＣＲＣパリティビット、または、第２のＣＲＣパリティビット（例えば、１６ビットＣＲＣ）が付加されたＤＣＩを前記端末装置へ送信する送信部３０７を備えてもよい。ここで、前記第１のＣＲＣパリティビットが付加されたＤＣＩをモニタするよう前記端末装置へ設定した場合において、少なくともＣ−ＲＮＴＩによって与えられるユーザー装置スペシフィックサーチスペースで前記第１のＣＲＣパリティビットが付加された前記ＤＣＩを送信し、且つ、コモンサーチスペースで前記第２のＣＲＣパリティビットが付加された前記ＤＣＩを送信してもよい。また、前記第１のＣＲＣパリティビットが付加されたＤＣＩをモニタするよう前記端末装置へ設定していない場合において、前記少なくともＣ−ＲＮＴＩによって与えられるユーザー装置スペシフィックサーチスペースで前記第２のＣＲＣパリティビットが付加された前記ＤＣＩを送信し、且つ、前記コモンサーチスペースで前記第２のＣＲＣパリティビットが付加された前記ＤＣＩを送信してもよい。ここで、前記第１のＣＲＣパリティビットの数は２４であり、前記第２のＣＲＣパリティビットの数は１６であってもよい。
【０２４８】
また、前記送信部３０７は、前記第１のＣＲＣパリティビットが付加されたＤＣＩをモニタするよう前記端末装置へ設定したかどうかに関わらず、少なくともＴｅｍｐｏｒａｒｙ Ｃ−ＲＮＴＩによって与えられるユーザー装置スペシフィックサーチスペースで前記第２のＣＲＣパリティビットが付加された前記ＤＣＩを送信してもよい。
【０２４９】
また、前記送信部３０７は、前記第１のＣＲＣパリティビットが付加されたＤＣＩをモニタするよう前記端末装置へ設定したかどうかに関わらず、前記コモンサーチスペースで、ＲＡ−ＲＮＴＩによってスクランブルされた前記第２のＣＲＣパリティビットが付加された前記ＤＣＩを送信してもよい。
【０２５０】
ここで、前記第１のＣＲＣパリティビットは、前記Ｃ−ＲＮＴＩによってスクランブルされてもよい。また、前記第２のＣＲＣパリティビットは、前記Ｃ−ＲＮＴＩまたは前記Ｔｅｍｐｏｒａｒｙ Ｃ−ＲＮＴＩによってスクランブルされてもよい。
【０２５１】
また、本実施形態における端末装置１は、ビット系列＜ｃ０,…,ｃＡ＋Ｌ−１＞を受信する受信部１０５を備えてもよい。ここで、前記ビット系列＜ｃ０,…,ｃＡ＋Ｌ−１＞は、ビット系列＜ｂ０,…,ｂＡ＋Ｌ−１＞におけるＣＲＣパリティビット＜ｂＡ,…,ｂＡ＋Ｌ−１＞がＲＮＴＩ＜ｘｒｎｔｉ，０,…, ｘｒｎｔｉ，１５＞によってスクランブルされることによって与えられてもよい。ここで、前記ビット系列＜ｂ０,…,ｂＡ＋Ｌ−１＞は、ＤＣＩのペイロード＜ａ０,…,ａＡ−１＞に前記ＣＲＣパリティビット＜ｐ０,…,ｐＬ−１＞が付加されることによって与えられてもよい。ここで、Ａは、前記ＤＣＩのペイロードのサイズであり、Ｌは、前記ＣＲＣパリティビットの数であってもよい。ここで、前記Ｌが２４の場合には、前記ビット系列＜ｃ０,…,ｃＡ＋Ｌ−１＞は、数式３に基づいて与えられてもよい。また、前記Ｌが１６の場合には、前記ビット系列＜ｃ０,…,ｃＡ＋Ｌ−１＞は、数式１に基づいて与えられてもよい。すなわち、前記Ｌが１６の場合には、前記Ｌが２４の場合における数式と異なる数式を用いて、前記ビット系列＜ｃ０,…,ｃＡ＋Ｌ−１＞が与えられてもよい。
【０２５２】
ここで、前記ＣＲＣパリティビット＜ｂＡ,…,ｂＡ＋Ｌ−１＞を、前記ＲＮＴＩ＜ｘｒｎｔｉ，０,…, ｘｒｎｔｉ，１５＞によってスクランブルされることによって与えられるビット系列＜ｃＡ,…,ｃＡ＋Ｌ−１＞に基づいて、誤り検出が実行されてもよい。
【０２５３】
また、本実施形態における基地局装置３は、ビット系列＜ｃ０,…,ｃＡ＋Ｌ−１＞を送信する送信部３０７を備えてもよい。ここで、前記ビット系列＜ｃ０,…,ｃＡ＋Ｌ−１＞は、ビット系列＜ｂ０,…,ｂＡ＋Ｌ−１＞におけるＣＲＣパリティビット＜ｂＡ,…,ｂＡ＋Ｌ−１＞がＲＮＴＩ＜ｘｒｎｔｉ，０,…, ｘｒｎｔｉ，１５＞によってスクランブルされることによって与えらてもよい。ここで、前記ビット系列＜ｂ０,…,ｂＡ＋Ｌ−１＞は、ＤＣＩのペイロード＜ａ０,…,ａＡ−１＞に前記ＣＲＣパリティビット＜ｐ０,…,ｐＬ−１＞が付加されることによって与えらてもよい。ここで、Ａは、前記ＤＣＩのペイロードのサイズであり、Ｌは、前記ＣＲＣパリティビットの数であってもよい。ここで、前記Ｌが２４の場合には、前記ビット系列＜ｃ０,…,ｃＡ＋Ｌ−１＞は、数式３に基づいて与えられてもよい。また、前記Ｌが１６の場合には、前記ビット系列＜ｃ０,…,ｃＡ＋Ｌ−１＞は、数式１に基づいて与えられてもよい。すなわち、前記Ｌが１６の場合には、前記Ｌが２４の場合における数式と異なる数式を用いて、前記ビット系列＜ｃ０,…,ｃＡ＋Ｌ−１＞が与えられてもよい。
【０２５４】
ここで、前記ＣＲＣパリティビット＜ｂＡ,…,ｂＡ＋Ｌ−１＞を、前記ＲＮＴＩ＜ｘｒｎｔｉ，０,…, ｘｒｎｔｉ，１５＞によってスクランブルされることによって与えられるビット系列＜ｃＡ,…,ｃＡ＋Ｌ−１＞に基づいて、誤り検出が提供されてもよい。
【０２５５】
また、本実施形態における端末装置１は、ビット系列＜ｃ０,…,ｃＡ＋Ｌ−１＞を受信する受信部１０５と、閉ループＵＥ送信アンテナ選択が設定された場合において、アンテナ選択マスクに基づいてＰＵＳＣＨに対する送信アンテナ選択を実行する送信部１０７と、を備えてもよい。ここで、前記閉ループＵＥ送信アンテナ選択が設定された場合には、前記ビット系列＜ｃ０,…,ｃＡ＋Ｌ−１＞は、ビット系列＜ｂ０,…,ｂＡ＋Ｌ−１＞におけるＣＲＣパリティビット＜ｂＡ,…,ｂＡ＋Ｌ−１＞が、ＲＮＴＩ＜ｘｒｎｔｉ，０,…, ｘｒｎｔｉ，１５＞およびアンテナ選択マスク＜ｘＡＳ，０,…, ｘＡＳ，Ｍ＞によってスクランブルされることによって与えられてもよい。ここで、前記ビット系列＜ｂ０,…,ｂＡ＋Ｌ−１＞は、ＤＣＩのペイロード＜ａ０,…,ａＡ−１＞に前記ＣＲＣパリティビット＜ｐ０,…,ｐＬ−１＞が付加されることによって与えられてもよい。ここで、Ａは、前記ＤＣＩのペイロードのサイズであり、Ｌは、前記ＣＲＣパリティビットの数であり、Ｍは、前記アンテナ選択マスクのビットの数であってもよい。ここで、前記Ｌの値が１６の場合には、第１のアンテナ選択マスク＜ｘＡＳ，０,…, ｘＡＳ，Ｍ＞によって第１の送信アンテナポートが与えられ、前記Ｌの値が２４の場合には、前記第１のアンテナ選択マスク＜ｘＡＳ，０,…, ｘＡＳ，Ｍ＞とは異なる第２のアンテナ選択マスク＜ｘＡＳ，０,…, ｘＡＳ，Ｍ＞によって前記第１の送信アンテナポートが与えられてもよい。
【０２５６】
ここで、前記Ｌが２４の場合には、前記ビット系列＜ｃ０,…,ｃＡ＋Ｌ−１＞は、数式６に基づいて与えられてもよい。また、前記Ｌが１６の場合には、前記ビット系列＜ｃ０,…,ｃＡ＋Ｌ−１＞は、数式５に基づいて与えられてもよい。ここで、前記Ｌが２４の場合には前記Ｍは８であり、前記Ｌが１６の場合には前記Ｍは１６であってもよい。
【０２５７】
また、本実施形態における基地局装置３は、ビット系列＜ｃ０,…,ｃＡ＋Ｌ−１＞を送信する送信部３０７と、閉ループＵＥ送信アンテナ選択を設定した場合において、アンテナ選択マスクに基づいて送信アンテナ選択が実行されたＰＵＳＣＨを受信する受信部３０５と、を備えてもよい。ここで、前記閉ループＵＥ送信アンテナ選択を設定した場合には、前記ビット系列＜ｃ０,…,ｃＡ＋Ｌ−１＞は、ビット系列＜ｂ０,…,ｂＡ＋Ｌ−１＞におけるＣＲＣパリティビット＜ｂＡ,…,ｂＡ＋Ｌ−１＞が、ＲＮＴＩ＜ｘｒｎｔｉ，０,…, ｘｒｎｔｉ，１５＞およびアンテナ選択マスク＜ｘＡＳ，０,…, ｘＡＳ，Ｍ＞によってスクランブルされることによって与えられてもよい。ここで、前記ビット系列＜ｂ０,…,ｂＡ＋Ｌ−１＞は、ＤＣＩのペイロード＜ａ０,…,ａＡ−１＞に前記ＣＲＣパリティビット＜ｐ０,…,ｐＬ−１＞が付加されることによって与えられてもよい。ここで、Ａは、前記ＤＣＩのペイロードのサイズであり、Ｌは、前記ＣＲＣパリティビットの数であり、Ｍは、前記アンテナ選択マスクのビットの数であってもよい。ここで、前記Ｌの値が１６の場合には、第１のアンテナ選択マスク＜ｘＡＳ，０,…, ｘＡＳ，Ｍ＞によって第１の送信アンテナポートが与えられ、前記Ｌの値が２４の場合には、前記第１のアンテナ選択マスク＜ｘＡＳ，０,…, ｘＡＳ，Ｍ＞とは異なる第２のアンテナ選択マスク＜ｘＡＳ，０,…, ｘＡＳ，Ｍ＞によって前記第１の送信アンテナポートが与えられてもよい。
【０２５８】
ここで、前記Ｌが２４の場合には、前記ビット系列＜ｃ０,…,ｃＡ＋Ｌ−１＞は、数式６に基づいて与えられてもよい。また、前記Ｌが１６の場合には、前記ビット系列＜ｃ０,…,ｃＡ＋Ｌ−１＞は、数式５に基づいて与えられてもよい。ここで、前記Ｌが２４の場合には前記Ｍは８であり、前記Ｌが１６の場合には前記Ｍは１６であってもよい。
【０２５９】
また、本実施形態における基地局装置３は、送信アンテナ選択に関する設定を送信し、ＭＴＡ（Multiple Timing Advance）に関する設定を送信する送信部３０７と、前記送信アンテナ選択をサポートするかどうか、および、前記ＭＴＡをサポートするかどうかを示すために用いられる能力情報を端末装置から受信する受信部３０５と、を備えてもよい。ここで、前記基地局装置３は、前記端末装置に対して前記送信アンテナ選択を設定した場合において、前記端末装置に対して前記ＭＴＡを設定しなくてもよい。
【０２６０】
また、前記能力情報は、セカンダリーセルにおけるＰＵＣＣＨでの送信をサポートするかどうかを示すために用いられてもよい。ここで、前記基地局装置３は、前記端末装置に対して前記送信アンテナ選択を設定した場合において、前記端末装置に対して前記セカンダリーセルにおけるＰＵＣＣＨでの送信を設定せず、前記端末装置に対して前記ＭＴＡを設定した場合において、前記端末装置に対して前記セカンダリーセルにおけるＰＵＣＣＨでの送信を設定可能であってもよい。
【０２６１】
また、前記送信部３０７は、前記端末装置に対して複数のサービングセルを設定し、且つ、前記送信アンテナ選択を設定することによって閉ループＵＥ送信アンテナ選択を有効とした場合において、ある１つのサブフレームにおいて、複数の送信アンテナ選択コマンドを前記端末装置へ送信してもよい。ここで、前記複数の送信アンテナ選択コマンドのそれぞれは、ＰＵＳＣＨでの送信に対する同一の送信アンテナポートを示すために用いられてもよい。
【０２６２】
また、本実施形態における端末装置１は、送信アンテナ選択に関する設定を受信し、ＭＴＡ（Multiple Timing Advance）に関する設定を受信する受信部１０５と、前記送信アンテナ選択をサポートするかどうか、および、前記ＭＴＡをサポートするかどうかを示すために用いられる能力情報を基地局装置へ送信する送信部３０７と、を備えてもよい。ここで、前記端末装置１は、前記基地局装置によって前記送信アンテナ選択を設定された場合において、前記基地局装置によって前記ＭＴＡを設定されることを期待されなくてもよい。
【０２６３】
また、前記能力情報は、セカンダリーセルにおけるＰＵＣＣＨでの送信をサポートするかどうかを示すために用いられてもよい。ここで、前記端末装置１は、前記基地局装置によって前記送信アンテナ選択を設定された場合において、前記基地局装置によって前記セカンダリーセルにおけるＰＵＣＣＨでの送信を設定されることを期待されず、前記基地局装置によって前記ＭＴＡを設定された場合において、前記基地局装置によって前記セカンダリーセルにおけるＰＵＣＣＨでの送信を設定可能であってもよい。
【０２６４】
また、前記受信部１０５は、前記端末装置に対して複数のサービングセルが設定され、且つ、前記送信アンテナ選択を設定することによって閉ループＵＥ送信アンテナ選択が有効にされた場合において、ある１つのサブフレームにおいて、複数の送信アンテナ選択コマンドを前記基地局装置から受信してもよい。ここで、前記複数の送信アンテナ選択コマンドのそれぞれは、ＰＵＳＣＨでの送信に対する同一の送信アンテナポートを示すために用いられてもよい。
【０２６５】
これにより、基地局装置３と端末装置１が、効率的に通信することができる。
【０２６６】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２６７】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２６８】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２６９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２７０】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２７１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２７２】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２７３】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２７４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２７５】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  送信電力制御部
３０１１  無線リソース制御部
３０１３  スケジューリング部
３０１５  送信電力制御部
【図１】
2018137492.tif 000009
【図２】
2018137492.tif 000010
【図３】
2018137492.tif 000011
【図４】
2018137492.tif 000012
【図５】
2018137492.tif 000013
【図６】
2018137492.tif 000014
【図７】
2018137492.tif 000015
【図８】
2018137492.tif 000016
【図９】
2018137492.tif 000017
【図１０】
2018137492.tif 000018
【図１１】
2018137492.tif 000019
【図１２】
2018137492.tif 000020
【図１３】
2018137492.tif 000021